(57)【特許請求の範囲】
【請求項１】
プライマリ周波数（ｐｒｉｍａｒｙ  ｆｒｅｑｕｅｎｃｙ）及び複数のセカンダリ周波数（ｓｅｃｏｎｄａｒｙ  ｆｒｅｑｕｅｎｃｙ）を使用する無線通信システムにおける基地局の動作方法において、
前記セカンダリ周波数少なくとも一つの活性化又は非活性化を決定する過程と、
前記セカンダリ周波数が活性化されること及び前記セカンダリ周波数が前記複数のセカンダリ周波数の中で非活性化されることを示すビットマップを含むメッセージを移動局に送信する過程と、を含む
ことを特徴とする方法。
【請求項２】
前記プライマリ周波数は、前記移動局が初期接続設定手順を行った周波数である
ことを特徴とする請求項１に記載の方法。
【請求項３】
前記プライマリ周波数は、常にオン状態である
ことを特徴とする請求項１または２に記載の方法。
【請求項４】
前記セカンダリ周波数のうち少なくとも一つの活性化又は非活性化を決定する過程は、
該当セカンダリ周波数を使用する移動局のバッテリ残量が閾値未満である場合、前記該当セカンダリ周波数の負荷量が閾値以上である場合、前記該当セカンダリ周波数に対する信号強度測定値が閾値未満である場合のうち一つである場合、前記該当セカンダリ周波数の非活性化を判断した前記移動局からの該非活性化の要請を前記基地局が通知される過程を含む
ことを特徴とする請求項１〜３のいずれかに記載の方法。
【請求項５】
前記メッセージは、非活性化される少なくとも一つのセカンダリ周波数に対するオフ期間情報、前記非活性化されるセカンダリ周波数以外に他の周波数の使用を要請する情報、前記他の周波数を指示する周波数情報またはインデックスまたはビットマップ情報のうち少なくとも一つを更に含む
ことを特徴とする請求項１〜４のいずれかに記載の方法。
【請求項６】
前記メッセージは、前記移動局のスリープモード進入要請に対する許容可否を知らせるスリープ応答メッセージの一部である
ことを特徴とする請求項１〜５のいずれかに記載の方法。
【請求項７】
プライマリ周波数及び複数のセカンダリ周波数を使用する無線通信システムにおける移動局の動作方法において、
基地局から前記セカンダリ周波数が活性化されること及び前記セカンダリ周波数が前記複数のセカンダリ周波数の中で非活性化されることを示すビットマップを含むメッセージを受信する過程と、
前記メッセージに応じて少なくとも一つの前記セカンダリ周波数を活性化又は非活性化する過程と、を含む
ことを特徴とする方法。
【請求項８】
前記プライマリ周波数は、前記移動局が初期接続設定手順を行った周波数である
ことを特徴とする請求項７に記載の方法。
【請求項９】
前記プライマリ周波数は、常にオン状態である
ことを特徴とする請求項７または８に記載の方法。
【請求項１０】
前記メッセージは、非活性化される少なくとも一つのセカンダリ周波数に対するオフ期間情報、前記非活性化されるセカンダリ周波数以外に他の周波数の使用を要請する情報、前記他の周波数を指示する周波数情報またはインデックスまたはビットマップ情報のうち少なくとも一つを更に含む
ことを特徴とする請求項７〜９のいずれかに記載の方法。
【請求項１１】
前記メッセージは、前記移動局のスリープモード進入を要請するスリープ要請メッセージの一部である
ことを特徴とする請求項７〜１０のいずれかに記載の方法。
【請求項１２】
プライマリ周波数及び複数のセカンダリ周波数を使用する無線通信システムにおける基地局装置において、
前記セカンダリ周波数の少なくとも一つの活性化又は非活性化を決定する制御部と、
前記セカンダリ周波数が活性化されること及び前記セカンダリ周波数が前記複数のセカンダリ周波数の中で非活性化されることを示すビットマップを含むメッセージを移動局に送信する送信部と、を含む
ことを特徴とする装置。
【請求項１３】
前記プライマリ周波数は、前記移動局が初期接続設定手順を行った周波数である
ことを特徴とする請求項１２に記載の装置。
【請求項１４】
前記プライマリ周波数は、常にオン状態である
ことを特徴とする請求項１２または１３に記載の装置。
【請求項１５】
前記制御部は、該当セカンダリ周波数を使用する移動局のバッテリ残量が閾値未満である場合、前記該当セカンダリ周波数の負荷量が閾値以上である場合、前記該当セカンダリ周波数に対する信号強度測定値が閾値未満である場合のうち一つである場合、前記該当セカンダリ周波数の非活性化を判断した前記移動局からの該非活性化の要請を通知される
ことを特徴とする請求項１２〜１４のいずれかに記載の装置。
【請求項１６】
前記メッセージは、非活性化される少なくとも一つのセカンダリ周波数に対するオフ期間情報、前記非活性化されるセカンダリ周波数以外に他の周波数の使用を要請する情報、前記他の周波数を指示する周波数情報またはインデックスまたはビットマップ情報のうち少なくとも一つを更に含む
ことを特徴とする請求項１２〜１５のいずれかに記載の装置。
【請求項１７】
前記メッセージは、前記移動局のスリープモード進入要請に対する許容可否を知らせるスリープ応答メッセージの一部である
ことを特徴とする請求項１２〜１６のいずれかに記載の装置。
【請求項１８】
プライマリ周波数及び複数のセカンダリ周波数を使用する無線通信システムにおける移動局の動作装置において、
基地局から前記セカンダリ周波数が活性化されること及び前記セカンダリ周波数が前記複数のセカンダリ周波数の中で非活性化されることを示すビットマップを含むメッセージを受信する受信部と、
前記メッセージに応じて前記セカンダリ周波数の少なくとも一つを活性化又は非活性化する制御部と、を含む
ことを特徴とする装置。
【請求項１９】
前記プライマリ周波数は、前記移動局が初期接続設定手順を行った周波数である
ことを特徴とする請求項１８に記載の装置。
【請求項２０】
前記プライマリ周波数は、常にオン状態である
ことを特徴とする請求項１８または１９に記載の装置。
【請求項２１】
前記メッセージは、非活性化される少なくとも一つのセカンダリ周波数に対するオフ期間情報、前記非活性化されるセカンダリ周波数以外に他の周波数の使用を要請する情報、前記他の周波数を指示する周波数情報またはインデックスまたはビットマップ情報のうち少なくとも一つを更に含む
ことを特徴とする請求項１８〜２０のいずれかに記載の装置。
【請求項２２】
前記メッセージは、前記移動局のスリープモード進入を要請するスリープ要請メッセージの一部である
ことを特徴とする請求項１８〜２１のいずれかに記載の装置。
【発明の詳細な説明】
【技術分野】
【０００１】
本発明は、多重バンドを使用する広帯域無線通信システムに係り、特に、多重バンドを使用する広帯域無線通信システムで移動局（Ｍｏｂｉｌｅ  Ｓｔａｔｉｏｎ：ＭＳ）の電力消耗を減少させるための装置及び方法に関する。
【背景技術】
【０００２】
無線通信システムが発展するにつれて、前記無線通信システムで提供されるべきサービスの種類の拡張及び高品質への要求が発生している。そのような要求を満足させるために、広帯域無線通信システムが注目されている。一方、無線通信システムで使用可能な周波数資源は限定されているため、広帯域無線通信システムで使用可能な周波数帯域も限定されている。したがって、広帯域サービスを提供するために、使用可能な周波数帯域の増加が要求される。
【０００３】
図１Ａ及び図１Ｂは、一般的な無線通信システムで単一周波数バンドを支援する構造と２つの周波数バンドを支援する構造を概略的に示す図である。
【０００４】
無線通信システム、特に、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６に代表される広帯域無線通信システムでの基地局（Ｂａｓｅ  Ｓｔａｔｉｏｎ：ＢＳ）は、１つの周波数割当て（Ｆｒｅｑｕｅｎｃｙ  Ａｓｓｉｇｎｍｅｎｔ：ＦＡ）あるいは２つ以上のＦＡを運用する。そして、前記基地局は、自身が運用するＦＡを通じて移動局（ＭＳ）に無線通信サービスを提供する。
【０００５】
図１Ａに示すように、移動局１００は、ＦＡ１領域１２０からＦＡ２領域１４０に移動することができる。ここで、前記ＦＡ１領域１２０は、前記移動局１００がＦＡ１を使用して無線通信サービスを提供されるサービス領域を意味し、前記ＦＡ２領域１４０は、前記移動局１００がＦＡ２を使用して無線通信サービスを提供されるサービス領域を意味する。このとき、前記ＦＡ１領域１２０に位置した前記移動局１００が一つのＦＡのみを運用することができるか、または前記ＦＡ１及び前記ＦＡ２が相異なる基地局によって運用されている場合、前記移動局１００はＦＡ間のハンドオーバを行い、その結果、ＦＡ２を使用して無線通信サービスを提供される。
【０００６】
図１Ｂに示すように、移動局１５０が少なくとも二つ以上のＦＡを運用することができるか、または少なくとも二つ以上のＦＡが一つの基地局によって運用されている場合、前記移動局１５０はＦＡ１領域１６０とＦＡ２領域１８０の両方を利用して無線通信サービスを提供することができる。このように、複数の周波数バンドを通じて移動局と基地局が信号を送受信する場合、前記移動局及び前記基地局は高速で大容量データを送受信することができる。
【０００７】
前述のように、複数の周波数バンドを同時に使用することによって、システムは高速の大容量サービスを提供することができる。しかし、現在、多重周波数バンドの効果的な活用のためのバンド使用の制御手続きが存在しない。したがって、資源活用率及びチャンネルの状態によって適応的に使用されるバンドを調節することができず、前記サブ・バンドの使用によって前記移動局の電力消耗が増加する問題点がある。
【発明の概要】
【発明が解決しようとする課題】
【０００８】
本発明の目的は、前述の問題点及び短所を解決するためのことであり、次のような利点のうち少なくとも一つを提供する。したがって、本発明の目的は、広帯域無線通信システムで移動局と基地局間の多重周波数バンドを効率的に利用するための装置及び方法を提供するところにある。
【０００９】
本発明の他の目的は、広帯域無線通信システムで資源活用率及びチャンネルの状態によって適応的に使用されるバンドを調節するための装置及び方法を提供するところにある。
【００１０】
本発明のさらに他の目的は、広帯域無線通信システムにおけるサブ・バンドの使用による電力消耗を減少させるための装置及び方法を提供するところにある。
【００１１】
本発明のさらに他の目的は、広帯域無線通信システムにおけるサブ・バンドの使用を中止させるための装置及び方法を提供するところにある。
【００１２】
本発明のさらに他の目的は、広帯域無線通信システムで中止されたサブ・バンドの使用を再開するための装置及び方法を提供するところにある。
【課題を解決するための手段】
【００１３】
前記目的を達成するための本発明の第１実施形態によれば、相手ノードとの基本バンド及び少なくとも一つのサブ・バンドを通じた通信中に、前記少なくとも一つのサブ・バンドのうち何れか一つの第１サブ・バンドの使用中止を決定するステップと、前記相手ノードに前記第１サブ・バンドの使用中止を要請する第１メッセージを送信するステップと、前記第１サブ・バンドを除いた残りの少なくとも一つのバンドを通じて通信を行うステップと、前記第１サブ・バンドの使用再開が決定されれば、前記第１サブ・バンドの使用再開を要請する第２メッセージを送信するステップと、を含むことを特徴とする。
【００１４】
前記目的を達成するための本発明の第２実施形態によれば、相手ノードとの基本バンド及び少なくとも一つのサブ・バンドを通じた通信中に、前記相手ノードから前記少なくとも一つのサブ・バンドのうち何れか一つである第１サブ・バンドの使用中止を要請する第１メッセージを受信するステップと、前記第１サブ・バンドを除いた残りの少なくとも一つのバンドを通じて通信を行うステップと、前記相手ノードから前記第１サブ・バンドの使用再開を要請する第２メッセージを受信するステップと、前記第１サブ・バンドを含む少なくとも一つのバンドを通じて通信を行うステップと、を含むことを特徴とする。
【００１５】
前記目的を達成するための本発明の第３実施形態によれば、相手ノードとの基本バンド及び少なくとも一つのサブ・バンドを通じた通信中に、前記少なくとも一つのサブ・バンドのうち何れか一つの第１サブ・バンドの使用中止を決定する制御器と、前記相手ノードに前記第１サブ・バンドの使用中止を要請する第１メッセージを送信する送信器とを備え、前記制御器は、前記第１サブ・バンドを除いた残りの少なくとも一つのバンドを通じて通信を行うように制御し、前記送信器は、前記第１サブ・バンドの使用再開が決定されれば、前記第１サブ・バンドの使用再開を要請する第２メッセージを送信することを特徴とする。
【００１６】
前記目的を達成するための本発明の第４実施形態によれば、相手ノードとの基本バンド及び少なくとも一つのサブ・バンドを通じた通信中に、前記相手ノードから前記少なくとも一つのサブ・バンドのうち何れか一つである第１サブ・バンドの使用中止を要請する第１メッセージを受信する受信器と、前記第１サブ・バンドを除いた残りの少なくとも一つのバンドを通じて通信を行うように制御する制御器とを備え、前記受信器は、前記相手ノードから前記第１サブ・バンドの使用再開を要請する第２メッセージを受信し、前記制御器は、前記第１サブ・バンドを含む少なくとも一つのバンドを通じて通信を行うように制御することを特徴とする。
【００１７】
本発明の他の見地、利益、主な特徴は以下の本発明の実施形態及び添付図面とともに説明される詳細な説明から当業者にとって明らかに認識されるであろう。
【００１８】
本発明の実施形態による本発明の前述の見地、他の見地、特徴、利益は、下記の図面とともに説明される詳細な説明から明らかに認識されるであろう。
【図面の簡単な説明】
【００１９】
【図１】無線通信システムで支援する周波数バンドの数による構造を概略的に示す図である。
【図２】本発明の第１実施形態による広帯域無線通信システムにおけるサブ・バンドのオン−オフのための信号交換の例を示す図である。
【図３】本発明の第２実施形態による広帯域無線通信システムにおけるサブ・バンドのオン−オフのための信号交換の例を示す図である。
【図４】本発明の第３実施形態による広帯域無線通信システムにおけるサブ・バンドのオン−オフのための信号交換の例を示す図である。
【図５】本発明の第４実施形態による広帯域無線通信システムにおけるサブ・バンドのオン−オフのための信号交換の例を示す図である。
【図６】本発明の第５実施形態による広帯域無線通信システムにおけるサブ・バンドのオン−オフのための信号交換の例を示す図である。
【図７】本発明の第６実施形態による広帯域無線通信システムにおけるサブ・バンドのオン−オフのための信号交換の例を示す図である。
【図８】本発明の第１実施形態による広帯域無線通信システムにおける移動局の動作手続きを示すフローチャートである。
【図９】本発明の第１実施形態による広帯域無線通信システムにおける基地局の動作手続きを示すフローチャートである。
【図１０】本発明の第５実施形態による広帯域無線通信システムにおける移動局の動作手続きを示すフローチャートである。
【図１１】本発明の第５実施形態による広帯域無線通信システムにおける基地局の動作手続きを示すフローチャートである。
【図１２】本発明の実施形態による広帯域無線通信システムにおける移動局の構成を示すブロック図である。
【図１３】本発明の実施形態による広帯域無線通信システムにおける基地局の構成を示すブロック図である。
【発明を実施するための形態】
【００２０】
前記図面において、参照番号は同一または類似する要素、特徴、構造を説明するために使用される。
【００２１】
以下、参照図面についての説明は、特許請求の範囲及びそれと同等なのによって定義される本発明の実施形態の包括的な理解を助けるために提供される。以下の説明は、理解を助けるために多様な具体的な詳細事項を含むが、単に例示として取り扱われる。したがって、本発明の思想や範囲を逸脱しない限り、実施形態の多様な変形及び修正が可能であるということは言うまでもない。また、周知の機能及び構造の説明は明確性のために省略されるであろう。
【００２２】
以下の説明及び特許請求の範囲で使用される用語及び単語は書誌的な意味に制限されず、単に発明の明確性及び理解のために使用された。したがって、当業者にとっては、以下で説明される本発明の実施形態は単に説明の目的のために使用され、特許請求の範囲及びそれと同等なものによって定義される発明を制限するためのものではない。
【００２３】
以下、本発明は、多重バンドを使用する広帯域無線通信システムにおけるサブ・バンドの使用による電力消耗を最小化するための技術について説明する。以下、本発明は、周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）／直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）方式の無線通信システムを例としてあげて説明し、他の方式の無線通信システムにも同様に適用することができる。
【００２４】
以下の説明で、移動局と基地局が複数の周波数バンドを通じて信号を送受信するモードを‘オーバーレイ・モード’と称す。そして、前記オーバーレイ・モードで動作する無線通信システムを‘オーバーレイ無線通信システム’と称す。
【００２５】
図２は、本発明の第１実施形態によるオーバーレイ無線通信システムにおけるサブ・バンドのオン−オフのための信号交換の例を示す図である。図２において、移動局２００及び基地局２５０は、２つの周波数バンド、すなわち、基本バンド（Ｐｒｉｍａｒｙ  ＦＡ：Ｐ−ＦＡ）２０１及びサブ・バンド（Ｓｅｃｏｎｄａｒｙ  ＦＡ：Ｓ−ＦＡ）２０３を運用する。しかし、図２に示す手続きは、３つ以上の周波数バンド、すなわち、１つの基本バンドと２つ以上のサブ・バンドを運用するシステムにも同様に適用することができる。
【００２６】
図２に示すように、前記移動局２００は、自身の基本バンド２０１を通じて前記基地局２５０とデータを送受信し、自身のサブ・バンド２０３を通じて前記基地局２５０とデータを送受信する（ステップ２１１）。ここで、前記基本バンド２０１は、前記移動局２００の初期接続時に決定される。したがって、複数の移動局が存在する場合、それぞれの移動局の基本バンドは相異なるバンドに設定することができる。すなわち、特定の移動局の基本バンドが異なる移動局のサブ・バンドになることができる。
【００２７】
データの通信中に、前記移動局２００は、自身のバッテリーの状態によって前記サブ・バンド２０３の使用中止の要否を判断する。このとき、前記サブ・バンド２０３の使用中止は、前記サブ・バンド２０３に対する信号強度測定値、電力消耗量などに基づいて判断される。例えば、該当のサブ・バンドに対する信号強度測定値がデータの送受信のために要求される閾値より小さいか、またはバッテリーの残量が前記サブ・バンド２０３の使用を維持するに足りない場合、前記移動局２００は前記サブ・バンド２０３の使用を中止することを決定する。
【００２８】
前記サブ・バンド２０３の使用中止が必要であると判断される場合、前記移動局２００は、前記基地局２５０に前記サブ・バンド２０３の使用中止を要請するＳ−ＦＡオフ要請メッセージを送信する（ステップ２１３）。前記Ｓ−ＦＡオフ要請メッセージは、使用中止が要請される前記サブ・バンド２０３の指示情報を含む。例えば、前記指示情報は、前記サブ・バンド２０４の周波数情報、前記サブ・バンド２０３のインデックス、及び前記サブ・バンド２０３を表したサブ・バンド・ビットマップのうち一つである。ここで、前記インデックスは、物理搬送波インデックスまたは論理搬送波インデックスである。このとき、前記ビットマップのサイズは、前記移動局２００に割り当てられたサブ・バンドの数と同一である。もし、前記移動局２００に割り当てられたサブ・バンドと前記移動局２００が実際に使用するサブ・バンドとが相異なる場合、前記ビットマップのサイズは、前記移動局２００が実際に使用するサブ・バンドの数によって決定され、前記移動局２００が実際に使用するサブ・バンドのうち、使用を中止する特定のサブ・バンドの指示に使用される。また、前記移動局２００がアップリンク・データの発生推移を分析することによって、前記サブ・バンド２０３のオフ期間が予想できる場合、前記移動局２００は、前記サブ・バンド２０３のオフ期間を示す情報を前記オフ要請メッセージに含ませることができる。前記オフ要請メッセージに含まれたオフ期間を示す情報は、前記基地局２５０で前記移動局２００のデータ・スケジューリングの実行に利用することができる。
【００２９】
前記移動局２００から前記オフ要請メッセージを受信した前記基地局２５０は、前記オフ要請メッセージに対する応答として、Ｓ−ＦＡオフ応答メッセージを送信する（ステップ２１５）。ここで、前記Ｓ−ＦＡオフ応答メッセージは、前記サブ・バンド２０３の使用中止要請に対する受諾如何を示す指示子を含む。それにより、前記移動局２００と前記基地局２５０は、前記サブ・バンド２０３の使用が中止されることを認知し、前記基本バンド２０１のみを通じてデータを送受信する（ステップ２１７）。もし、図２に示すものとは異なり、前記移動局２００が２つ以上のサブ・バンドを使用している場合、前記移動局２００は前記中止されたサブ・バンド２０３を除いた残りの少なくとも一つのサブ・バンド及び前記基本バンドを通じてデータを送受信する。
【００３０】
その後、前記移動局２００が前記サブ・バンド２０３を使用して前記基地局２５０とのデータを送受信することができると判断されれば、前記移動局２００は前記基地局２５０に前記サブ・バンド２０３が利用できることを知らせるために、サブ・バンド準備指示子を前記基地局２５０に送信する（ステップ２１９）。このとき、前記移動局２００は、必要によって前記サブ・バンド２０３に対するレンジング（ｒａｎｇｉｎｇ）手続きを行うことができる。
【００３１】
前記サブ・バンド準備指示子を受信した前記基地局２５０は、前記中止されたサブ・バンドの使用再開の許否を判断した後、前記サブ・バンド準備指示子の確認（Ｓ−ＦＡ  ｒｅａｄｉｎｅｓｓ  ｉｎｄｉｃａｔｏｒ  ＡＣＫ）を前記移動局２００に送信する（ステップ２２１）。前記中止されたサブ・バンドの使用再開の許否は、前記移動局２００から報告される前記サブ・バンド２０３に対する信号強度測定値、前記サブ・バンド２０３の負荷量、前記サブ・バンド２０３を基本バンドとして使用する移動局の存否及び数などに基づいて判断される。したがって、前記サブ・バンド準備指示子の確認は、前記移動局２００の前記サブ・バンド２０３を通じたデータの送受信の許可を知らせる情報、前記移動局２００の前記サブ・バンド２０３を通じたデータの送受信の許可を知らせる情報、及び前記サブ・バンド２０３以外の他のバンドの使用を要請する情報のうち何れか一つを含む。前記サブ・バンド２０３の使用が許可されない場合、前記基地局２５０は前記他のバンドの周波数情報またはバンド識別子情報を前記サブ・バンド準備指示子の確認に含ませる。このとき、前記移動局２００の前記サブ・バンド２０３を通じたデータの送受信が許可されたと仮定する。
【００３２】
前記サブ・バンド準備指示子の確認を通じて前記サブ・バンド２０３を通じた前記基地局２５０とのデータの送受信が許可されることを確認した前記移動局２００は、前記基本バンド２０１を通じて前記基地局２５０とデータを送受信し、前記サブ・バンド２０３を通じて前記基地局２５０とデータを送受信する（ステップ２２３）。
【００３３】
図２に示す手続きによれば、本発明による移動局は、サブ・バンドのオフのためのメッセージを送信する。さらに、本発明による移動局は、スリップ・モードへの進入要請とともにサブ・バンドの使用中止を要請することができる。本発明は、前記スリップ・モードへの進入及び前記サブ・バンドの使用中止を同時に要請する場合の具体的な手続きを図３を参考して説明する。
【００３４】
図３は、本発明の第２実施形態によるオーバーレイ無線通信システムにおけるサブ・バンドのオン−オフのための信号交換の例を示す図である。
【００３５】
図３に示すように、移動局３００は、基本バンド３０１を通じて基地局３５０とデータを送受信し、前記サブ・バンド３０３を通じて前記基地局３５０とデータを送受信する（ステップ３１１）。ここで、前記基本バンド３０１は、前記移動局２００の初期接続時に決定される。したがって、複数の移動局が存在する場合、それぞれの移動局の基本バンドは相異なるバンドに設定することができる。すなわち、特定の移動局の基本バンドが異なる移動局のサブ・バンドになることができる。
【００３６】
このとき、前記移動局３００は、スリップ・モードに進入することを判断するとともに、前記サブ・バンド３０３の使用を中止することを判断する。このとき、前記サブ・バンド３０３の使用中止は、前記サブ・バンド３０３に対する信号強度測定値、電力消耗量などに基づいて判断される。例えば、該当のサブ・バンドに対する信号強度測定値がデータの送受信のために要求される閾値より小さいか、またはバッテリーの残量が前記サブ・バンド３０３の使用を維持するに足りない場合、前記移動局３００は前記サブ・バンド３０３の使用を中止することを決定する。
【００３７】
それにより、前記移動局３００は、前記基地局３５０に前記サブ・バンド３０３の使用中止を要請するＳ−ＦＡオフ要請を含むスリップ要請（ＳＬｅｅＰ  ＲＥＱｕｅｓｔ：ＳＬＰ−ＲＥＱ）メッセージを送信する（ステップ３１３）。前記Ｓ−ＦＡオフ要請は、使用中止が要請される前記サブ・バンド３０３の指示情報を含む。例えば、前記指示情報は、前記サブ・バンド３０３の周波数情報、前記サブ・バンド３０３のインデックス、及び前記サブ・バンド３０３を表したサブ・バンド・ビットマップのうち一つである。ここで、前記インデックスは、物理搬送波インデックスまたは論理搬送波インデックスである。このとき、前記ビットマップのサイズは、前記移動局３００に割り当てられたサブ・バンドの数と同一である。もし、前記移動局３００に割り当てられたサブ・バンドと前記移動局３００が実際に使用するサブ・バンドとが相異なる場合、前記ビットマップのサイズは、前記移動局３００が実際に使用するサブ・バンドの数によって決定され、前記移動局３００が実際に使用するサブ・バンドのうち、使用を中止する特定のサブ・バンドの指示に使用される。また、前記Ｓ−ＦＡオフ要請は、前記サブ・バンド３０３のオフ期間情報を含むことができる。
【００３８】
前記スリップ要請メッセージとともに伝送されたＳ−ＦＡオフ要請を受信した前記基地局３５０は、前記Ｓ−ＦＡオフ要請に対する応答を含むスリップ応答（ＳＬｅｅＰ  ＲｅＳＰｏｎｓｅ：ＳＬＰ−ＲＳＰ）メッセージを前記移動局３００に送信する（ステップ３１５）。前記Ｓ−ＦＡオフ要請に対する応答は、前記移動局３００のＳ−ＦＡオフ要請の受諾如何を示す指示子を含む。
【００３９】
前記スリップ応答メッセージを受信した前記移動局３００は、前記スリップ応答メッセージの指示によってスリップ・モードに進入し、それと同時に前記サブ・バンド３０３の使用を中止し、前記スリップ・モードのリスニング区間で前記基本バンド３０１を通じて前記基地局３５０とデータを送受信する（ステップ３１７）。但し、前記ステップ３１３及びステップ３１５を通じたスリップ要請／応答手続きを行ったが、前記移動局３００のスリップ・モードへの進入が受諾されないこともある。しかし、スリップ・モードへの進入が受諾されないとしても、前記サブ・バンド３０３に対するＳ−ＦＡオフ要請／応答は有効である。この場合、前記移動局３００は、スリップ・モードへ進入せずに、前記基本バンド３０１のみを通じて前記基地局３５０とデータを送受信する。もし、図３に示すものとは異なり、前記移動局３００が２つ以上のサブ・バンドを使用している場合、前記移動局３００は、前記中止されたサブ・バンド３０３を除いた残りの少なくとも一つのサブ・バンド及び前記基本バンドを通じてデータを送受信する。
【００４０】
スリップ・モードに進入した前記移動局３００は、前記サブ・バンド３０３を通じてデータを送受信することが可能であると判断する。したがって、前記サブ・バンド３０３を用いた通信を再開しようとすることを前記基地局３５０に知らせるために、前記移動局３００はサブ・バンド準備指示子を前記基本バンド３０１を通じて送信する（ステップ３１９）。
【００４１】
前記サブ・バンド準備指示子を受信した前記基地局３５０は、前記中止されたサブ・バンドの使用再開の許否を判断した後、サブ・バンド準備指示子の確認を前記移動局３００に送信する（ステップ３２１）。前記中止されたサブ・バンドの使用再開の許否は、前記移動局３００から報告される前記サブ・バンド３０３に対する信号強度測定値、前記サブ・バンド３０３の負荷量、前記サブ・バンド３０３を基本バンドとして使用する移動局の存否及び数などに基づいて判断される。したがって、前記サブ・バンド準備指示子の確認は、前記移動局３００の前記サブ・バンド３０３を通じたデータの送受信の許可を知らせる情報、前記移動局３００の前記サブ・バンド３０３を通じたデータの送受信の許可を知らせる情報、または前記サブ・バンド３０３以外の他のバンドの使用を要請する情報を含む。前記サブ・バンド３０３の使用が許可されない場合、前記基地局２５０は、前記他のバンドの周波数情報またはバンド識別子情報を前記サブ・バンド準備指示子の確認に含ませる。このとき、前記移動局２００の前記サブ・バンド３０３を通じたデータの送受信が許可されたと仮定する。
【００４２】
前記サブ・バンド準備指示子の確認を通じて前記サブ・バンド３０３を通じた前記基地局３５０とのデータの送受信が許可されることを確認した後、前記移動局３００はスリップ・モードのリスニング区間で前記基本バンド３０１を通じて前記基地局３５０とデータを送受信し、前記サブ・バンド３０３を通じて前記基地局３５０とデータを送受信する（ステップ３２３）。スリップ・モードで中止されたサブ・バンドを再開させる場合に使用される前記サブ・バンド準備指示子及びサブ・バンド準備指示子の確認は、前記スリップ・モードを制御するために定義されたＭＡＣ（Ｍｅｄｉａ  Ａｃｃｅｓｓ  Ｃｏｎｔｒｏｌ）階層の制御メッセージ及びＭＡＣ階層ヘッダーのうち何れか一つに含むことができる。
【００４３】
図３に示す手続きは、移動局がスリップ・モードを要請する場合を示す。しかし、基地局がスリップ・モードを要請する場合にも、移動局はスリップ応答メッセージにＳ−ＦＡオフ要請を含めて伝送することができる。この場合、移動局からＳ−ＦＡオフ要請を含むスリップ応答メッセージを受信した基地局は、前記移動局のサブ・バンドの使用が中止されることを認知する。
【００４４】
図４は、本発明の第３実施形態によるオーバーレイ無線通信システムにおけるサブ・バンドのオン−オフのための信号交換の例を示す図である。図４で、移動局４００及び基地局４５０は、Ｎ＋１個の周波数バンド、すなわち、１つの基本バンド４０１及びＮ個のサブ・バンド４０３−１ないし４０３−Ｎを使用する。しかし、図４に示す手続きは、２つの周波数バンド、すなわち、１つの基本バンドと１つのサブ・バンドを使用する場合にも同様に適用することができる。
【００４５】
図４に示すように、前記移動局４００は、前記基本バンド４０１及び前記Ｎ個のサブ・バンド４０３−１ないし４０３−Ｎを通じて前記基地局４５０とデータを送受信する（ステップ４１１）。ここで、前記基本バンド４０１は、前記移動局４００の初期接続時に決定される。したがって、複数の移動局が存在する場合、それぞれの移動局の基本バンドは相異なるバンドに設定することができる。すなわち、特定の移動局の基本バンドが異なる移動局のサブ・バンドになることができる。
【００４６】
データの通信中に、前記移動局４００は自身のバッテリーの状態によって前記Ｎ個のサブ・バンド４０３−１ないし４０３−Ｎのうち、少なくとも一つのサブ・バンドに対する使用中止が必要であることを判断する。このとき、前記少なくとも一つのサブ・バンドの使用中止は、それぞれのサブ・バンドに対する信号強度測定値、電力消耗量などに基づいて判断される。例えば、該当のサブ・バンドに対する信号強度測定値がデータの送受信のために要求される閾値より小さいか、またはバッテリーの残量が前記Ｎ＋１個のバンドの使用を維持するに足りない場合、前記移動局４００は前記Ｎ個のサブ・バンド４０３−１ないし４０３−Ｎのうち少なくとも一つのサブ・バンドの使用を中止することを決定する。以下、サブ・バンド１（Ｓ−ＦＡ１）４０３−１の使用中止が決定されたと仮定する。
【００４７】
前記サブ・バンド１  ４０３−１の使用中止が必要であると判断される場合、前記移動局４００は、前記基地局４５０に前記サブ・バンド１  ４０３−１に対する使用中止を要請するＳ−ＦＡオフ要請メッセージを送信する（ステップ４１３）。前記Ｓ−ＦＡオフ要請メッセージは、使用中止が要請される前記サブ・バンド１  ４０３−１の指示情報を含む。例えば、前記指示情報は、前記サブ・バンド１  ４０３−１のインデックスまたは前記サブ・バンド１  ４０３−１を表したサブ・バンド・ビットマップ情報を含むことができる。ここで、前記インデックスは、物理搬送波インデックスまたは論理搬送波インデックスである。このとき、前記ビットマップのサイズは、前記移動局４００に割り当てられたサブ・バンドの数と同一である。もし、前記移動局４００に割り当てられたサブ・バンド及び前記移動局４００が実際に使用するサブ・バンドが相異なる場合、前記ビットマップのサイズは、前記移動局４００が実際に使用するサブ・バンドの数によって決定され、前記移動局４００が実際に使用するサブ・バンドのうち、使用を中止する特定のサブ・バンドの指示に使用される。また、前記移動局４００がアップリンク・データの発生推移を分析することによって前記サブ・バンド１  ４０３−１に対する使用中止のオフ期間が予想できる場合、前記移動局４００は、前記オフ期間を示す情報を前記Ｓ−ＦＡオフ要請メッセージに含ませる。前記Ｓ−ＦＡオフ要請メッセージに含まれた前記オフ期間を示す情報は、前記基地局４５０で前記移動局４００のデータ・スケジューリングの実行に利用することができる。
【００４８】
前記移動局４００から前記オフ要請メッセージを受信した前記基地局４５０は、前記オフ要請メッセージに対する応答としてＳ−ＦＡオフ応答メッセージを送信する（ステップ４１５）。それにより、前記移動局４００と前記基地局４５０は、前記サブ・バンド１  ４０３−１の使用が中止されることを認知し、前記中止されたサブ・バンドを除いた残りのバンドを通じてデータを送受信する（ステップ４１７）。
【００４９】
その後、前記サブ・バンド１  ４０３−１の使用再開が可能であると判断されれば、前記移動局４００は前記サブ・バンド１  ４０３−１の使用再開を要請するＳ−ＦＡオン要請メッセージを前記基地局４５０に送信する（ステップ４１９）。
【００５０】
前記Ｓ−ＦＡオン要請メッセージを受信した前記基地局４５０は、前記中止されたサブ・バンドの使用再開の許否を判断した後、Ｓ−ＦＡオン応答メッセージを前記移動局４００に送信する（ステップ４２１）。前記サブ・バンド１  ４０３−１の使用再開の許否は、前記移動局４００から報告される前記サブ・バンド１  ４０３−１に対する信号強度測定値、前記サブ・バンド１  ４０３−１の負荷量、前記サブ・バンド１  ４０３−１を基本バンドとして使用する移動局の存否及び数などに基づいて判断される。したがって、前記Ｓ−ＦＡオン応答メッセージは、前記中止されたサブ・バンドの使用再開の許可を知らせる情報、前記中止されたサブ・バンドの使用再開の許可を知らせる情報、及び前記中止されたサブ・バンド以外の他のバンドの使用を要請する情報のうち何れか一つを含む。前記他のバンドの使用を指示する場合、前記基地局４５０は、前記他のバンドの周波数情報またはバンド識別子情報を前記Ｓ−ＦＡオン応答メッセージに含ませる。以下、前記中止されたサブ・バンドを通じた通信が許可されたと仮定する。
【００５１】
前記Ｓ−ＦＡオン応答メッセージを通じて前記中止されたサブ・バンドの使用再開が許可されることを確認した前記移動局４００は、前記中止されたサブ・バンドの使用再開のための準備を完了した後、Ｓ−ＦＡ準備指示子を送信する（ステップ４２３）。例えば、前記使用再開のための準備は、レンジングなどの同期化手続き、ハードウェアの状態切替などを含む。ここで、前記Ｓ−ＦＡ準備指示子は、図２及び図３の準備指示子と異なり、中止されたサブ・バンドの使用再開が開始できることを知らせるために使用される。
【００５２】
前記Ｓ−ＦＡ準備指示子を送信した後、前記移動局４００は、前記基本バンド４０１及び前記Ｎ個のサブ・バンド４０３−１ないし４０３−Ｎを通じて前記基地局４５０とデータを送受信する（ステップ４２５）。
【００５３】
図４に示す手続きによれば、本発明による移動局は、サブ・バンドのオフのためのメッセージを送信する。さらに、本発明による移動局は、スリップ・モードへの進入要請とともにサブ・バンドの使用中止を要請することができる。本発明は、前記スリップ・モードへの進入及び前記サブ・バンドの使用中止を同時に要請する場合の具体的な手続きを図５を参考して説明する。
【００５４】
図５は、本発明の第３実施形態によるオーバーレイ無線通信システムにおけるサブ・バンドのオン−オフのための信号交換の例を示す図である。
【００５５】
図５に示すように、前記移動局５００は、前記基本バンド５０１及び前記Ｎ個のサブ・バンド５０３−１ないし５０３−Ｎを通じて前記基地局５５０とデータを送受信する（ステップ５１１）。ここで、前記基本バンド５０１は、前記移動局５００の初期接続時に決定される。したがって、複数の移動局が存在する場合、それぞれの移動局の基本バンドは相異なるバンドに設定することができる。すなわち、特定の移動局の基本バンドが異なる移動局のサブ・バンドになることができる。
【００５６】
このとき、前記移動局５００は、スリップ・モードに進入することを判断するとともに、前記Ｎ個のサブ・バンド５０３−１ないし５０３−Ｎのうち少なくとも一つのサブ・バンドの使用を中止することを判断する。このとき、前記サブ・バンドの使用中止は、それぞれのサブ・バンドに対する信号強度測定値、電力消耗量などに基づいて判断される。例えば、該当のサブ・バンドに対する信号強度測定値がデータの送受信のために要求される閾値より小さいか、またはバッテリーの残量がＮ＋１個のバンドの使用を維持するに足りない場合、前記移動局５００は前記Ｎ個のサブ・バンド５０３−１ないし５０３−Ｎのうち少なくとも一つのサブ・バンドの使用を中止することを決定する。以下、サブ・バンド１（Ｓ−ＦＡ１）５０３−１の使用中止が決定されたと仮定する。
【００５７】
それにより、前記移動局５００は、前記基地局５５０に前記サブ・バンド１  ５０３−１の使用中止を要請するＳ−ＦＡオフ要請を含むスリップ要請メッセージを送信する（ステップ５１３）。前記Ｓ−ＦＡオフ要請は、使用中止が要請される前記サブ・バンド１  ５０３−１の指示情報を含む。例えば、前記指示情報は、前記サブ・バンド１  ５０３−１の周波数情報、前記サブ・バンド１  ５０３−１のインデックス、及び前記サブ・バンド１  ５０３−１を表したサブ・バンド・ビットマップのうち何れか一つである。ここで、前記インデックスは、物理搬送波インデックスまたは論理搬送波インデックスである。このとき、前記ビットマップのサイズは、前記移動局５００に割り当てられたサブ・バンドの数と同一である。もし、前記移動局５００に割り当てられたサブ・バンドと前記移動局５００が実際に使用するサブ・バンドとが相異なる場合、前記ビットマップのサイズは、前記移動局５００が実際に使用するサブ・バンドの数によって決定され、前記移動局５００が実際に使用するサブ・バンドのうち使用を中止する特定のサブ・バンドの指示に使用される。
【００５８】
また、前記Ｓ−ＦＡオフ要請は、中止されたサブ・バンドのオフ期間情報を含むことができる。
【００５９】
前記スリップ要請メッセージを受信した前記基地局５５０は、前記移動局５００のスリップ・モードへの進入の受諾如何を判断し、前記移動局５００に前記受諾如何を知らせるスリップ応答メッセージを送信する（ステップ５１５）。このとき、前記スリップ要請メッセージに含まれたＳ−ＦＡオフ要請によって、前記基地局５５０は前記スリップ応答メッセージにＳ−ＦＡオフ応答を含ませる。
【００６０】
前記スリップ応答メッセージを受信した前記移動局５００は、前記スリップ応答メッセージの指示によってスリップ・モードに進入し、それと同時に、前記サブ・バンド１  ５０３−１に対する使用を中止し、前記スリップ・モードのリスニング区間で前記サブ・バンド１  ５０３−１を除いた残りのバンドを通じて前記基地局５５０とデータを送受信する（ステップ５１７）。但し、前記ステップ５１３及びステップ５１５を通じたスリップ要請／応答手続きを行ったが、前記移動局５００のスリップ・モードへの進入が受諾されないことがあり得る。しかし、スリップ・モードへの進入が受諾されないとしても、前記サブ・バンド１  ５０３−１に対するＳ−ＦＡオフ要請／応答は有効である。この場合、前記移動局５００は、スリップ・モードに進入せずに、前記サブ・バンド１  ５０３−１を除いた残りの少なくとも一つのバンドを通じて前記基地局５５０とデータを送受信する。
【００６１】
その後、前記サブ・バンド１  ５０３−１の使用再開が可能であると判断されれば、前記移動局５００は、前記サブ・バンド１  ５０３−１の使用再開を要請するＳ−ＦＡオン要請メッセージを前記基地局５５０に送信する（ステップ５１９）。このとき、前記移動局５００は、前記サブ・バンド１  ５０３−１に対するレンジング手続きを行うことができる。
【００６２】
前記Ｓ−ＦＡオン要請メッセージを受信した前記基地局５５０は、前記中止されたサブ・バンドの使用再開の許否を判断した後、Ｓ−ＦＡオン応答メッセージを前記移動局５００に送信する（ステップ５２１）。前記中止されたサブ・バンドの使用再開の許否は、前記中止されたサブ・バンドの負荷量、前記サブ・バンドを基本バンドとして使用する移動局の存否及び数などに基づいて判断される。したがって、前記Ｓ−ＦＡオン応答メッセージは、前記移動局５００の中止されたサブ・バンドの使用再開の許可を知らせる情報、前記移動局５００の前記中止されたサブ・バンドの使用再開の許可を知らせる情報、及び前記中止されたサブ・バンド以外の他のバンドの使用を要請する情報のうち何れか一つを含む。前記他のバンドの使用を指示する場合、前記基地局５５０は、前記他のバンドの周波数情報またはバンド識別子情報を前記Ｓ−ＦＡオン応答メッセージに含ませる。以下、前記サブ・バンド１  ５０３−１の使用再開が許可されたと仮定する。スリップ・モードで中止されたサブ・バンドを再開させる場合に使用される前記サブ・バンド準備指示子及びサブ・バンド準備指示子の確認は、前記スリップ・モードを制御するために定義されたＭＡＣ階層の制御メッセージ及びＭＡＣ階層ヘッダーのうち何れか一つに含むことができる。
【００６３】
前記Ｓ−ＦＡオン応答メッセージを通じて前記中止されたサブ・バンドの使用再開が許可されることを確認した前記移動局５００は、前記中止されたサブ・バンドの使用再開のための準備を完了した後、Ｓ−ＦＡ準備指示子を送信する（ステップ５２３）。例えば、前記使用再開のための準備は、レンジングなどの同期化手続き、ハードウェアの状態切替などを含む。ここで、前記Ｓ−ＦＡ準備指示子は、図２及び図３の準備指示子と異なり、中止されたサブ・バンドの使用再開が開始できることを知らせるために使用される。
【００６４】
前記Ｓ−ＦＡ準備指示子を送信した後、前記移動局５００は、前記基本バンド５０１及び前記Ｎ個のサブ・バンド５０３−１ないし５０３−Ｎを通じて前記基地局５５０とデータを送受信する（ステップ５２５）。
【００６５】
図６は、本発明の第５実施形態によるオーバーレイ無線通信システムにおけるサブ・バンドのオン−オフのための信号交換の例を示す図である。図６で、前記広帯域無線通信システムは移動局６００及び基地局６５０を備え、前記移動局６００及び前記基地局６５０はＮ＋１個の周波数バンド、すなわち１つの基本バンド６０１及びＮ個のサブ・バンド６０３−１ないし６０３−Ｎを使用する。しかし、図６に示す手続きは、２つの周波数バンド、すなわち１つの基本バンドと１つのサブ・バンドを使用する場合にも同様に適用することができる。
【００６６】
図６に示すように、前記移動局６００は、前記基本バンド６０１及び前記Ｎ個のサブ・バンド６０３−１ないし６０３−Ｎを通じて前記基地局６５０とデータを送受信する（ステップ６１１）。ここで、前記基本バンド６０１は、前記移動局６００の初期接続時に決定される。したがって、複数の移動局が存在する場合、それぞれの移動局の基本バンドは相異なるバンドに設定することができる。すなわち、特定の移動局の基本バンドが異なる移動局のサブ・バンドになることができる。
【００６７】
データの通信中に、前記基地局６５０は、前記Ｎ個のサブ・バンド６０３−１ないし６０３−Ｎのうち少なくとも一つのサブ・バンドの使用を中止することを決定する（ステップ６１３）。このとき、前記サブ・バンドの使用中止は、前記移動局６００から報告されるそれぞれのサブ・バンドに対する信号強度測定値、それぞれのサブ・バンドに対する負荷量などに基づいて判断される。例えば、該当のサブ・バンドに対する信号強度測定値がデータの送受信のために要求される閾値より小さいか、または該当のサブ・バンドでの負荷量が過度であり、前記負荷量を分散させねばならないことが判断される場合、前記基地局６５０は、前記Ｎ個のサブ・バンド６０３−１ないし６０３−Ｎのうち少なくとも一つのサブ・バンドの使用を中止することを決定する。以下、サブ・バンド１（Ｓ−ＦＡ１）６０３−１の使用中止が決定されたと仮定する。
【００６８】
それにより、前記基地局６５０は、前記移動局６５０に前記Ｎ個のサブ・バンド６０３−１ないし６０３−Ｎのうち少なくとも一つのサブ・バンドに対するＳ−ＦＡオフ要請メッセージを送信する（ステップ６１５）。前記Ｓ−ＦＡオフ要請メッセージは、使用中止が要請される前記サブ・バンド１  ６０３−１の指示情報を含む。例えば、前記指示情報は、前記サブ・バンド１  ６０３−１の周波数情報、前記サブ・バンド１  ６０３−１のインデックス、及び前記サブ・バンド１  ６０３−１を表したサブ・バンド・ビットマップのうち何れか一つである。ここで、前記インデックスは、物理搬送波インデックスまたは論理搬送波インデックスである。そして、前記ビットマップのサイズは、前記移動局６００に割り当てられたサブ・バンドの数と同一である。もし、前記移動局６００に割り当てられたサブ・バンドと前記移動局６００が実際に使用するサブ・バンドとが相異なる場合、前記ビットマップのサイズは、前記移動局６００が実際に使用するサブ・バンドの数によって決定され、前記移動局６００が実際に使用するサブ・バンドのうち使用を中止する特定のサブ・バンドの指示に使用される。また、前記基地局６５０がダウンリンク・データの発生推移を分析することによって、中止されたサブ・バンドに対するオフ期間が予想できる場合、前記基地局６５０は、中止されたサブ・バンドのオフ期間を示す情報を前記Ｓ−ＦＡオフ要請メッセージに含ませる。さらに、前記Ｓ−ＦＡオフ要請メッセージは、前記中止されたサブ・バンド以外の他のバンドの使用を要請する情報を含むことができる。前記他のバンドの使用を指示する場合、前記基地局６５０は前記他のバンドの指示情報、例えば、周波数情報、インデックス、及びビットマップのうち何れか一つを前記Ｓ−ＦＡオフ要請メッセージに含ませる。ここで、前記インデックスは、物理搬送波インデックスまたは論理搬送波インデックスである。以下、前記他のバンドの使用を要請する情報は含まれていないと仮定する。
【００６９】
前記基地局６５０から前記Ｓ−ＦＡオフ要請メッセージを受信した前記移動局６５０は、前記Ｓ−ＦＡオフ要請メッセージに対する応答としてＳ−ＦＡオフ応答メッセージを送信する（ステップ６１７）。それにより、前記移動局６００及び前記基地局６５０は、前記Ｎ個のサブ・バンド６０３−１ないし６０３−Ｎのうち少なくとも一つのサブ・バンドの使用を中止し、中止されたサブ・バンドを除いた残りのバンドを通じてデータを送受信する（ステップ６１９）。
【００７０】
その後、前記サブ・バンド１  ６０３−１の使用再開が必要であり、前記使用再開が可能であると判断されれば、前記基地局６５０は、前記移動局６００に前記中止されたサブ・バンドの使用再開を要請するＳ−ＦＡオン要請メッセージを送信する（ステップ６２１）。このとき、前記サブ・バンドの使用再開の可否は、前述のサブ・バンドの使用中止と類似する基準によって判断される。すなわち、前記サブ・バンドの使用再開の可否は、前記移動局６００から報告されるそれぞれのサブ・バンドに対する信号強度測定値、それぞれのサブ・バンドに対する負荷量などに基づいて判断される。例えば、該当のサブ・バンドに対する信号強度測定値がデータの送受信のために要求される閾値より大きいとか、または該当のサブ・バンドでの負荷量が少ないため追加的なトラフィックが収容できる場合、前記基地局６５０はサブ・バンド１  ６０３−１の使用再開が可能であると判断する。
【００７１】
前記Ｓ−ＦＡオン要請メッセージを受信した前記移動局６００は、前記Ｓ−ＦＡオン要請メッセージの応答としてＳ−ＦＡオン応答メッセージを前記基地局６５０に送信する（ステップ６２３）。前記Ｓ−ＦＡオン応答メッセージを送信した前記移動局６００は、前記中止されたサブ・バンドの使用再開のための準備を完了した後、Ｓ−ＦＡ準備指示子を送信する（ステップ６２５）。例えば、前記使用再開のための準備はレンジングなどの同期化手続き、ハードウェアの状態切替などを含む。ここで、前記Ｓ−ＦＡ準備指示子は、図２及び図３の準備指示子と異なり、中止されたサブ・バンドの使用再開が開始できることを知らせるために使用される。
【００７２】
前記Ｓ−ＦＡ準備指示子を送信した後、前記移動局６００及び前記基地局６５０は前記基本バンド６０１及び前記Ｎ個のサブ・バンド６０３−１ないし６０３−Ｎを通じてデータを送受信する（ステップ６２７）。
【００７３】
図６に示す手続きによれば、前記移動局６００は、前記Ｓ−ＦＡオン要請メッセージを受信することによって、前記Ｓ−ＦＡオン応答メッセージ及び前記Ｓ−ＦＡ準備指示子を送信する。しかし、本発明の他の実施形態によって、前記移動局６００が前記Ｓ−ＦＡ準備指示子を送信する前記ステップ６２５は省略され、前記移動局６００が前記Ｓ−ＦＡオン応答メッセージを送信する前記ステップ６２３が、前記中止されたサブ・バンドの使用再開のための準備が完了した後に行うことができる。すなわち、この場合、前記Ｓ−ＦＡオン応答メッセージは、前記Ｓ−ＦＡオン要請メッセージに対する応答であると同時に、前記中止されたサブ・バンドの使用再開が開始できることを知らせるために使用される。
【００７４】
図６に示す手続きによれば、本発明による基地局は、サブ・バンドのオフのためのメッセージを送信する。さらに、本発明による基地局は、スリップ・モードへの進入要請とともにサブ・バンドの使用中止を要請することができる。本発明は、前記スリップ・モードへの進入及び前記サブ・バンドの使用中止を同時に要請する場合の具体的な手続きを図７を参考して説明する。
【００７５】
図７は、本発明の第６実施形態によるオーバーレイ無線通信システムにおけるサブ・バンドのオン−オフのための信号交換の例を示す図である。
【００７６】
図７に示すように、前記移動局７００は、前記基本バンド７０１及び前記Ｎ個のサブ・バンド７０３−１ないし７０３−Ｎを通じて前記基地局７５０とデータを送受信する（ステップ７１１）。ここで、前記基本バンド７０１は、前記移動局７００の初期接続時に決定される。したがって、複数の移動局が存在する場合、それぞれの移動局の基本バンドは相異なるバンドに設定することができる。すなわち、特定の移動局の基本バンドが異なる移動局のサブ・バンドになることができる。
【００７７】
前記データの通信中に、前記移動局７００は、スリップ・モードに進入することを判断し、前記基地局７５０にスリップ要請メッセージを送信する（ステップ７１３）。このとき、前記基地局７５０は、前記Ｎ個のサブ・バンド７０３−１ないし７０３−Ｎのうち少なくとも一つのサブ・バンドの使用を中止することを決定する（ステップ７１５）。このとき、前記サブ・バンドの使用中止は、それぞれのサブ・バンドでの負荷量、前記移動局７００から報告されるそれぞれのサブ・バンドに対する信号強度測定値などに基づいて判断される。例えば、該当のサブ・バンドに対する信号強度測定値がデータの送受信のために要求される閾値より小さいか、または該当のサブ・バンドでの負荷量が過度であり、前記負荷量を分散させねばならないことが判断される場合、前記基地局７５０は、前記Ｎ個のサブ・バンド７０３−１ないし７０３−Ｎのうち少なくとも一つのサブ・バンドの使用を中止することを決定する。以下、サブ・バンド１（Ｓ−ＦＡ１）７０３−１の使用中止が決定されたと仮定する。
【００７８】
前記スリップ要請メッセージを受信した前記基地局７５０は、前記移動局７００のスリップ・モードへの進入の受諾如何を判断し、前記受諾如何を知らせるスリップ応答メッセージを送信する（ステップ７１７）。このとき、前記スリップ応答メッセージは、前記ステップ７１５で決定された前記サブ・バンド１  ７０３−１の使用中止を要請するＳ−ＦＡオフ要請を含む。前記Ｓ−ＦＡオフ要請は、使用中止が要請される前記サブ・バンド１  ７０３−１の指示情報を含む。例えば、前記指示情報は、前記サブ・バンド１  ７０３−１の周波数情報、前記サブ・バンド１  ５０３−１のインデックス及び前記サブ・バンド１  ７０３−１を表したサブ・バンド・ビットマップのうち何れか一つである。ここで、前記インデックスは、物理搬送波インデックスまたは論理搬送波インデックスである。そして、前記ビットマップのサイズは、前記移動局７００に割り当てられたサブ・バンドの数と同一である。もし、前記移動局７００に割り当てられたサブ・バンドと前記移動局７００が実際に使用するサブ・バンドとが相異なる場合、前記ビットマップのサイズは、前記移動局７００が実際に使用するサブ・バンドの数によって決定され、前記移動局７００が実際に使用するサブ・バンドのうち使用を中止する特定のサブ・バンドの指示に使用される。また、前記Ｓ−ＦＡオフ要請は、前記サブ・バンド１  ７０３−１のオフ期間情報を含むことができる。
【００７９】
前記スリップ応答メッセージに含まれた前記Ｓ−ＦＡオフ要請を受信した前記移動局７００は、前記サブ・バンド１  ７０３−１の使用を中止せねばならないことを認知し、前記Ｓ−ＦＡオフ要請に対する応答を含むＳ−ＦＡオフ応答メッセージを前記移動局７００に送信する（ステップ７１９）。そして、前記スリップ応答メッセージを受信した前記移動局７００は、前記スリップ応答メッセージの指示によってスリップ・モードに進入し、それと同時に前記サブ・バンド１  ７０３−１に対する使用を中止し、前記スリップ・モードのリスニング区間で前記サブ・バンド１  ７０３−１を除いた残りのバンドを通じて前記基地局７５０とデータを送受信する（ステップ７２１）。但し、前記ステップ７１３及びステップ７１７を通じてスリップ要請／応答手続きを行ったが、前記移動局７００のスリップ・モードへの進入が受諾されないこともある。しかし、スリップ・モードへの進入が受諾されないとしても、前記サブ・バンド１  ７０３−１に対するＳ−ＦＡオフ要請／応答は有効である。この場合、前記移動局７００は、前記スリップ・モードに進入せずに、前記サブ・バンド１  ７０３−１を除いた残りのバンドを通じて前記基地局７５０とデータを送受信する。
【００８０】
その後、前記サブ・バンド１  ７０３−１の使用再開が必要であり、前記使用再開が可能であると判断されれば、前記基地局７５０は、前記移動局７００に前記サブ・バンド１  ７０３−１の使用再開を要請するＳ−ＦＡオン要請メッセージを送信する（ステップ７２３）。このとき、前記サブ・バンドの使用再開の可否は、前述のサブ・バンドの使用中止と類似する基準によって判断される。すなわち、前記サブ・バンドの使用再開の可否は、前記移動局７００から報告されるそれぞれのサブ・バンドに対する信号強度測定値、それぞれのサブ・バンドに対する負荷量などに基づいて判断される。例えば、該当のサブ・バンドに対する信号強度測定値がデータの送受信のために要求される閾値より大きいとか、または該当のサブ・バンドでの負荷量が少ないため追加的なトラフィックが収容できる場合、前記基地局７５０はサブ・バンド１  ７０３−１の使用再開が可能であると判断する。
【００８１】
前記Ｓ−ＦＡオン要請メッセージを受信した前記移動局７００は、前記Ｓ−ＦＡオン要請メッセージの応答としてＳ−ＦＡオン応答メッセージを前記基地局７５０に送信する（ステップ７２５）。前記Ｓ−ＦＡオン応答メッセージを送信した前記移動局７００は、前記中止されたサブ・バンドの使用再開のための準備を完了した後にＳ−ＦＡ準備指示子を送信する（ステップ７２７）。例えば、前記使用再開のための準備は、レンジングなどの同期化手続き、ハードウェアの状態切替などを含む。ここで、前記Ｓ−ＦＡ準備指示子は、図２及び図３の準備指示子と異なり、中止されたサブ・バンドの使用再開が開始できることを知らせるために使用される。スリップ・モードで中止されたサブ・バンドを再開させる場合に使用される前記サブ・バンド準備指示子及びサブ・バンド準備指示子の確認は、前記スリップ・モードを制御するために定義されたＭＡＣ階層の制御メッセージ及びＭＡＣ階層ヘッダーのうち何れか一つに含むことができる。
【００８２】
前記Ｓ−ＦＡ準備指示子を送信した後、前記移動局７００及び前記基地局７５０は、前記基本バンド７０１及び前記Ｎ個のサブ・バンド７０３−１ないし７０３−Ｎを通じてデータを送受信する（ステップ７２９）。
【００８３】
図７に示す手続きによれば、前記移動局７００は、前記Ｓ−ＦＡオン要請メッセージを受信することによって前記Ｓ−ＦＡオン応答メッセージ及び前記Ｓ−ＦＡ準備指示子を送信する。しかし、本発明の他の実施形態によって、前記移動局７００が前記Ｓ−ＦＡ準備指示子を送信する前記ステップ７２７は省略され、前記移動局７００が前記Ｓ−ＦＡオン応答メッセージを送信する前記ステップ７２５が、前記中止されたサブ・バンドの使用再開のための準備が完了した後に行うことができる。すなわち、この場合、前記Ｓ−ＦＡオン応答メッセージは、前記Ｓ−ＦＡオン要請メッセージに対する応答であると同時に、前記中止されたサブ・バンドの使用再開が開始できることを知らせるために使用される。
【００８４】
図２ないし図７に示す手続きは、サブ・バンドをオフさせても移動局に対するＱｏＳ（Ｑｕａｌｉｔｙ  ｏｆ  Ｓｅｒｖｉｃｅ）政策に影響を与えないことを仮定した。もし、移動局のサブ・バンドのオフ動作によって前記ＱｏＳ政策に影響を与える場合、移動局及び基地局は、動的サービス交渉手続き、例えば、ＤＳＣ（Ｄｙｎａｍｉｃ  Ｓｅｒｖｉｃｅ  Ｃｈａｎｇｅ）手続きをさらに行わねばならない。すなわち、移動局及び基地局は、サブ・バンドのオフによって使用可能な無線資源量が減少しても、ＱｏＳ政策による要求ＱｏＳを満足させるように、使用中のサービス・フローに対するＱｏＳパラメータを変更せねばならない。
【００８５】
この場合、図４ないし図７に示すＳ−ＦＡオン要請メッセージ及び前記Ｓ−ＦＡオン応答メッセージを送受信する手続きは前記動的サービス交渉手続きに含むことができる。すなわち、前記動的サービス交渉手続きのために送受信されるメッセージに前記Ｓ−ＦＡオン要請メッセージ及び前記Ｓ−ＦＡオン応答メッセージの内容を含ませることによって、前記移動局及び前記基地局は、前記動的サービス交渉手続き及び前記サブ・バンド使用再開手続きを一つの手続きとして処理することができる。
【００８６】
以下、本発明は、前述のようにサブ・バンドをオン−オフする移動局及び基地局の構成及び動作手続きを図面を参考して詳細に説明する。
【００８７】
図８は、本発明の第１実施形態による広帯域無線通信システムにおける移動局の動作手続きを示すフローチャートである。
【００８８】
図８に示すように、前記移動局は、ステップ８０１で基本バンド及び少なくとも一つのサブ・バンドを通じて通信を行う。すなわち、前記移動局は、複数のバンドを全て使用して基地局とデータを送受信する。
【００８９】
その後、前記移動局はステップ８０３に進み、サブ・バンドの使用中止を通じた電力消耗の減少が必要であるかを判断する。すなわち、前記移動局は、バッテリーの状態を持続的に監視し、バッテリーの状態によって電力消耗減少の要否を判断する。例えば、バッテリーの残量が閾値以下であれば、電力消耗の減少が必要であると判断する。これと異なり、サブ・バンドに対する信号強度測定値がデータの送受信のために要求される閾値より小さい場合、前記移動局は、該当のサブ・バンドの使用中止が必要であることを判断することができる。もし、前記サブ・バンドの使用中止が不要であれば、前記移動局は前記ステップ８０１に戻る。
【００９０】
一方、サブ・バンドの使用中止が必要であれば、前記移動局はステップ８０５に進み、基地局にサブ・バンドのオフ要請メッセージを送信する。前記サブ・バンドのオフ要請メッセージは、使用中止が要請されるサブ・バンドの指示情報を含む。例えば、前記指示情報は、前記サブ・バンドの周波数情報、前記サブ・バンドのインデックス、及び前記サブ・バンドを表したサブ・バンド・ビットマップのうち何れか一つである。ここで、前記インデックスは、物理搬送波インデックスまたは論理搬送波インデックスである。また、前記移動局がアップリンク・データの発生推移を分析することによって前記サブ・バンドのオフ期間が予想できる場合、前記移動局は前記オフ期間情報を含むサブ・バンドのオフ要請メッセージを送信する。
【００９１】
前記サブ・バンドのオフ要請メッセージを送信した後、前記移動局はステップ８０７に進み、前記基地局からサブ・バンドのオフ応答メッセージが受信されるかを確認する。ここで、前記サブ・バンドのオフ応答メッセージは、前記サブ・バンドの使用中止要請に対する受諾如何を示す指示子を含む。
【００９２】
次いで、前記移動局はステップ８０９に進み、前記基本バンドのみを通じて通信を行う。もし、前記移動局が２つ以上のサブ・バンドを使用している場合、前記移動局は、前記中止されたサブ・バンドを除いた残りの少なくとも一つのサブ・バンド及び前記基本バンドを通じて通信を行う。すなわち、前記移動局は、前記サブ・バンドのオフ応答メッセージを通じて自身のサブ・バンドの使用中止要請が受諾されたことを確認し、前記中止されたサブ・バンドを通じてデータが受信されないことを認知する。したがって、前記移動局は、前記中止されたサブ・バンドに対する同期維持及び前記中止されたサブ・バンドを通じた制御メッセージの受信のための動作などを行わない。
【００９３】
その後、前記移動局はステップ８１１に進み、前記中止されたサブ・バンドの使用が再開できるかを判断する。言い換えれば、前記移動局は、バッテリーの状態または信号強度測定値によって中止されたサブ・バンドの使用が再開できるかを判断する。すなわち、前記移動局は、前記バッテリーの残量が前記中止されたサブ・バンドの使用を再開することによって増加する電力消耗を収容するほど十分であるか、または前記中止されたサブ・バンドの信号強度測定値が閾値より大きいかを判断する。もし、前記中止されたサブ・バンドの使用が再開できなければ、前記移動局は前記ステップ８０９に戻る。
【００９４】
一方、前記中止されたサブ・バンドの使用が再開できれば、前記移動局はステップ８１３に進み、前記基地局にサブ・バンド準備指示子を送信する。このとき、図８に示していないが、前記サブ・バンド準備指示子を送信するに先立ち、前記移動局は必要によって前記サブ・バンドに対するレンジング手続きを行うことができる。例えば、前記サブ・バンドが基本バンドに物理的に隣接した場合、前記基本バンドに合わせられた周波数／時間同期調整値が前記サブ・バンドに適用することができる。しかし、前記サブ・バンドが前記基本バンドに物理的に隣接していない場合、前記基本バンドに合わせた周波数／時間同期調整値を前記サブ・バンドに適用することが好ましくないため、前記移動局は前記サブ・バンドに対するレンジングを行う。
【００９５】
前記サブ・バンド準備指示子を送信した後、前記移動局はステップ８１５に進み、前記基地局からサブ・バンド準備指示子の確認が受信されるかを確認する。前記サブ・バンド準備指示子の確認は、前記移動局のサブ・バンドの使用再開要請に対する基地局の判断結果を知らせるために行われる。ここで、前記基地局の判断結果は、前記サブ・バンドの使用許可、前記サブ・バンドの使用不許可、または他のバンドの使用指示のうち何れか一つである。
【００９６】
前記サブ・バンド準備指示子の確認が受信されれば、前記移動局はステップ８１７に進み、前記サブ・バンド準備指示子の確認に含まれた基地局の判断結果を確認する。言い換えれば、前記移動局は、前記サブ・バンドの使用が許可されたか、前記サブ・バンドの使用が許可されなかったか、または他のバンドの使用が指示されたかを確認する。もし、前記サブ・バンドの使用が許可された場合、前記移動局はステップ８０１に戻る。または、前記サブ・バンドの使用が許可されなかった場合、前記移動局はステップ８０９に戻る。
【００９７】
一方、前記他のバンドの使用が指示された場合、前記移動局はステップ８１９に進み、前記他のバンドをサブ・バンドとして設定する。すなわち、前記移動局は、前記基地局の指示によって前記他のバンドをサブ・バンドとして使用することを決定する。このとき、前記他のバンドをサブ・バンドとして設定するために、前記移動局は前記他のバンドに対するレンジングを行うことができる。その後、前記移動局は前記ステップ８０１に戻る。
【００９８】
本発明の第２実施形態による移動局の動作手続きのうち、図８に示す本発明の第１実施形態と相異なるステップのみを説明すれば次の通りである。
【００９９】
前記ステップ８０５で、前記移動局は、スリップ・モードへの進入を要請するとともに、前記サブ・バンドの使用中止を要請する。すなわち、前記移動局は、前記サブ・バンドのオフ要請を含むスリップ要請メッセージを送信する。そして、前記ステップ８０７で、前記移動局は、サブ・バンドのオフ応答を含むスリップ応答メッセージが受信されるかを確認する。次いで、前記移動局は、前記スリップ応答メッセージを通じて前記スリップ・モードへの進入の許否を確認する。すなわち、サブ・バンドの使用中止要請は受諾されても、スリップ・モードへの進入が許可されないこともあるため、前記移動局は、前記スリップ・モードへの進入の許否を確認する。その後、スリップ・モードへの進入が許可されたら、前記移動局はステップ８０９に進み、スリップ・モードに進入した後、リスニング（ｌｉｓｔｅｎｉｎｇ）区間で前記中止されたサブ・バンドを除いた少なくとも一つのバンドを通じて通信を行う。一方、前記スリップ・モードへの進入が許可されなかったら、前記移動局はステップ８０９に進み、スリップ・モードに進入せずに、前記中止されたサブ・バンドを除いた少なくとも一つのバンドを通じて通信を行う。
【０１００】
本発明の第３実施形態による移動局の動作手続きのうち、図８に示す本発明の第１実施形態と相異なるステップのみを説明すれば次の通りである。
【０１０１】
前記ステップ８１３で、前記移動局は、前記基地局にサブ・バンドのオン要請メッセージを送信する。前記サブ・バンドのオン要請メッセージを送信した後、前記ステップ８１５で、前記移動局は、サブ・バンドのオン応答メッセージが受信されるかを確認する。ここで、前記サブ・バンドのオン応答メッセージは、前記中止されたサブ・バンドの使用再開の許可を知らせる情報、前記中止されたサブ・バンドの使用再開の許可を知らせる情報、及び前記中止されたサブ・バンド以外の他のバンドの使用を要請する情報のうち何れか一つを含む。もし、前記中止されたサブ・バンドの使用再開の許可を知らせる情報が含まれた場合、前記移動局は前記ステップ８０９に戻り、前記他のバンドの使用を要請する情報が含まれた場合、前記移動局は前記ステップ８１９に進む。一方、前記中止されたサブ・バンドの使用再開の許可を知らせる情報が含まれた場合、前記移動局は、前記中止されたサブ・バンドの使用再開のための準備を完了した後、サブ・バンド準備指示子を送信する。例えば、前記使用再開のための準備は、レンジングなどの同期化手続き、ハードウェアの状態切替などを含む。
【０１０２】
本発明の第４実施形態による移動局の動作手続きのうち、図８に示す本発明の第１実施形態と相異なるステップのみを比較して説明すれば次の通りである。
【０１０３】
前記ステップ８０５で、前記移動局は、スリップ・モードへの進入を要請するとともに、前記サブ・バンドの使用中止を要請する。すなわち、前記移動局は、前記サブ・バンドのオフ要請を含むスリップ要請メッセージを送信する。そして、前記ステップ８０７で、前記移動局は、サブ・バンドのオフ応答を含むスリップ応答メッセージが受信されるかを確認する。次いで、前記移動局は、前記スリップ応答メッセージを通じて前記スリップ・モードへの進入の許否を確認する。すなわち、サブ・バンドの使用中止要請は受諾されても、スリップ・モードへの進入が許可されないこともあるため、前記移動局は前記スリップ・モードへの進入の許否を確認する。その後、スリップ・モードへの進入が許可されたら、前記移動局はステップ８０９に進み、スリップ・モードに進入した後、リスニング区間で前記中止されたサブ・バンドを除いた少なくとも一つのバンドを通じて通信を行う。一方、前記スリップ・モードへの進入が許可されなかったら、前記移動局はステップ８０９に進み、スリップ・モードに進入せずに、前記中止されたサブ・バンドを除いた少なくとも一つのバンドを通じて通信を行う。
【０１０４】
そして、前記ステップ８１３で、前記移動局は、前記基地局にサブ・バンドのオン要請メッセージを送信する。前記サブ・バンドのオン要請メッセージを送信した後、前記ステップ８１５で、前記移動局は、サブ・バンドのオン応答メッセージが受信されるかを確認する。ここで、前記サブ・バンドのオン応答メッセージは、前記中止されたサブ・バンドの使用再開の許可を知らせる情報、前記中止されたサブ・バンドの使用再開の許可を知らせる情報、及び前記中止されたサブ・バンド以外の他のバンドの使用を要請する情報のうち何れか一つを含む。もし、前記中止されたサブ・バンドの使用再開の許可を知らせる情報が含まれた場合、前記移動局は前記ステップ８０９に戻り、前記他のバンドの使用を要請する情報が含まれた場合、前記移動局は前記ステップ８１９に進む。一方、前記中止されたサブ・バンドの使用再開の許可を知らせる情報が含まれた場合、前記移動局は、前記中止されたサブ・バンドの使用再開のための準備を完了した後、サブ・バンド準備指示子を送信する。例えば、前記使用再開のための準備は、レンジングなどの同期化手続き、ハードウェアの状態切替などを含む。
【０１０５】
図９は、本発明の第１実施形態による広帯域無線通信システムにおける基地局の動作手続きを示すフローチャートである。
【０１０６】
図９に示すように、前記基地局は、ステップ９０１で、移動局からサブ・バンドのオフ要請メッセージが受信されるかを確認する。言い換えれば、前記基地局は、基本バンド及びサブ・バンドを通じて通信が行われている移動局からサブ・バンドの使用中止が要請されるかを確認する。このとき、前記サブ・バンドのオフ要請メッセージは、前記移動局の基本バンドを通じて受信される。前記サブ・バンドのオフ要請メッセージは、使用中止が要請されるサブ・バンドの指示情報を含む。例えば、前記指示情報は、前記サブ・バンドの周波数情報、前記サブ・バンドのインデックス、及び前記サブ・バンドを表したサブ・バンド・ビットマップのうち何れか一つである。ここで、前記インデックスは、物理搬送波インデックスまたは論理搬送波インデックスである。
【０１０７】
もし、前記サブ・バンドのオフ要請メッセージが受信されれば、前記基地局はステップ９０３に進み、移動局のバンド使用現況情報を更新する。すなわち、前記基地局は、前記サブ・バンドのオフ要請メッセージを受信することによって、前記移動局がサブ・バンドの使用を中止することを決定する。したがって、資源の割当時に前記サブ・バンドの使用中止を反映するために、前記基地局は前記移動局の使用バンドリストから前記サブ・バンドを除く。それにより、前記移動局に前記サブ・バンド内の資源が割り当てられない。もし、前記サブ・バンドのオフ要請メッセージにオフ期間情報が含まれた場合、前記基地局は前記オフ期間情報をスケジューリングに反映する。
【０１０８】
前記移動局のバンド使用現況情報を更新した後、前記基地局はステップ９０５に進み、前記移動局にサブ・バンドのオフ応答メッセージを送信する。ここで、前記サブ・バンドのオフ応答メッセージは、前記サブ・バンドの使用中止要請に対する受諾如何を示す指示子を含む。
【０１０９】
その後、前記基地局はステップ９０７に進み、前記移動局からサブ・バンド準備指示子が受信されるかを確認する。すなわち、前記基地局は、前記移動局がサブ・バンドの使用を再開することを要請するかを確認する。
【０１１０】
前記サブ・バンド準備指示子が受信されれば、前記基地局はステップ９０９に進み、前記サブ・バンドの使用が許可できるかを判断する。ここで、前記サブ・バンドの使用許否は、前記サブ・バンドの負荷量、前記サブ・バンドを基本バンドとして使用する移動局の存否及び数などに基づいて判断される。
【０１１１】
もし、前記サブ・バンドの使用が許可できれば、前記基地局はステップ９１１に進み、前記移動局に前記サブ・バンドの使用許可を知らせるサブ・バンド準備指示子の確認を送信する。そして、前記基地局は、前記移動局のバンド使用現況情報を更新する。
【０１１２】
一方、前記サブ・バンドの使用が許可できなければ、前記基地局はステップ９１３に進み、他のバンドの使用が許可できるかを判断する。すなわち、前記基地局は、前記サブ・バンド及び前記移動局の基本バンド以外のバンドのうち、前記移動局に使用が許可できるバンドが存在するかを確認する。ここで、前記他のバンドの使用許否は、前記他のバンドの資源使用率、前記他のバンドを基本バンドとして使用する移動局の存否及び数などに基づいて判断される。
【０１１３】
もし、前記他のバンドの使用が許可できれば、前記基地局はステップ９１５に進み、前記移動局に前記他のバンドの使用を指示するサブ・バンド準備指示子の確認を送信する。そして、前記基地局は、前記移動局のバンド使用現況情報を更新する。
【０１１４】
一方、前記他のバンドの使用が許可できなければ、前記基地局はステップ９１７に進み、前記サブ・バンドの使用許可を知らせるサブ・バンド準備指示子の確認を送信する。
【０１１５】
本発明の第２実施形態による基地局の動作手続きのうち、図９に示す本発明の第１実施形態と相異なるステップのみを説明すれば次の通りである。
【０１１６】
まず、前記基地局は、移動局からスリップ要請メッセージが受信されるかを確認し、前記スリップ要請メッセージが受信されれば、前記ステップ９０１で前記スリップ要請メッセージにサブ・バンドのオフ要請が含まれているかを確認する。前記スリップ要請メッセージに前記サブ・バンドのオフ要請が含まれていれば、前記基地局は前記ステップ９０３に進む。そして、前記基地局は、前記移動局のスリップ・モードへの進入の受諾如何を判断する。その後、前記ステップ９０５で、前記基地局は前記スリップ・モードへの進入の受諾如何を知らせるスリップ応答メッセージを送信し、このとき、前記スリップ応答メッセージはサブ・バンドのオフ応答を含む。
【０１１７】
本発明の第３実施形態による基地局の動作手続きのうち、図９に示す本発明の第１実施形態と相異なるステップのみを説明すれば次の通りである。
【０１１８】
前記ステップ９０７で、前記基地局は、サブ・バンドのオン要請メッセージが受信されるかを確認する。ここで、前記サブ・バンドのオン要請メッセージは、中止されたサブ・バンドの使用再開を要請することを知らせるメッセージである。前記サブ・バンドのオン要請メッセージが受信されれば、前記基地局は前記ステップ９０９に進む。そして、前記ステップ９１１、前記ステップ９１５または前記ステップ９１７で、前記基地局は、前記中止されたサブ・バンドの使用再開の許可を知らせる情報、前記中止されたサブ・バンドの使用再開の許可を知らせる情報、及び前記中止されたサブ・バンド以外の他のバンドの使用を要請する情報のうち何れか一つを含むサブ・バンドのオン応答メッセージを送信する。その後、前記基地局は、前記移動局からサブ・バンド準備指示子が受信されるかを確認し、前記サブ・バンド準備指示子が受信されれば、前記移動局のバンド使用現況情報を更新する。
【０１１９】
本発明の第４実施形態による基地局の動作手続きのうち、図９に示す本発明の第１実施形態と相異なるステップのみを説明すれば次の通りである。
【０１２０】
まず、前記基地局は、移動局からスリップ要請メッセージが受信されるかを確認し、前記スリップ要請メッセージが受信されれば、前記ステップ９０１で前記スリップ要請メッセージにサブ・バンドのオフ要請が含まれているかを確認する。前記スリップ要請メッセージに前記サブ・バンドのオフ要請が含まれていれば、前記基地局は前記ステップ９０３に進む。そして、前記基地局は、前記移動局のスリップ・モードへの進入の受諾如何を判断する。その後、前記ステップ９０５で、前記基地局は、前記スリップ・モードへの進入の受諾如何を知らせるスリップ応答メッセージを送信し、このとき、前記スリップ応答メッセージはサブ・バンドのオフ応答を含む。
【０１２１】
その後、前記ステップ９０７で、前記基地局は、サブ・バンドのオン要請メッセージが受信されるかを確認する。ここで、前記サブ・バンドのオン要請メッセージは、中止されたサブ・バンドの使用再開を要請することを知らせるメッセージである。前記サブ・バンドのオン要請メッセージが受信されれば、前記基地局は前記ステップ９０９に進む。そして、前記ステップ９１１、前記ステップ９１５または前記ステップ９１７で、前記基地局は、前記中止されたサブ・バンドの使用再開の許可を知らせる情報、前記中止されたサブ・バンドの使用再開の許可を知らせる情報、及び前記中止されたサブ・バンド以外の他のバンドの使用を要請する情報のうち何れか一つを含むサブ・バンドのオン応答メッセージを送信する。その後、前記基地局は、前記移動局からサブ・バンド準備指示子が受信されるかを確認し、前記サブ・バンド準備指示子が受信されれば、前記移動局のバンド使用現況情報を更新する。
【０１２２】
図１０は、本発明の第５実施形態による広帯域無線通信システムにおける基地局の動作手続きを示すフローチャートである。
【０１２３】
図１０に示すように、前記基地局は、ステップ１００１で基本バンド及び少なくとも一つのサブ・バンドを通じて移動局と通信を行う。すなわち、前記基地局は、複数のバンドを全て使用して前記移動局とデータを送受信する。
【０１２４】
その後、前記基地局は前記ステップ１００３に進み、少なくとも一つのサブ・バンドの使用を中止する必要があるかを判断する。前記少なくとも一つのサブ・バンドの使用中止は、前記移動局から報告されるそれぞれのサブ・バンドに対する信号強度測定値、それぞれのサブ・バンドに対する負荷量などに基づいて判断される。例えば、該当のサブ・バンドに対する信号強度測定値がデータの送受信のために要求される閾値より小さいか、または該当のサブ・バンドでの負荷量が過度であり、前記負荷量を分散させねばならないことが判断される場合、前記基地局は、少なくとも一つのサブ・バンドの使用を中止することを決定する。このとき、使用中止の対象は、前記少なくとも一つのサブ・バンドの全部または一部である。
【０１２５】
もし、前記少なくとも一つのサブ・バンドの使用を中止することが決定された場合、前記基地局はステップ１００５に進み、他のバンドの使用が許可できるかを判断する。すなわち、前記基地局は、前記中止されたサブ・バンドを代替して、新しいバンドを割り当てることができるかを判断する。
【０１２６】
もし、前記他のバンドの使用が許可できなければ、前記基地局はステップ１００７に進み、中止されたサブ・バンドの指示情報を含むサブ・バンド要請メッセージを送信する。一方、前記他のバンドの使用が許可できれば、前記基地局はステップ１００９に進み、中止されたサブ・バンド及び新たに許可されたバンドの指示情報を含むサブ・バンド要請メッセージを送信する。例えば、前記指示情報は、該当のバンドの周波数情報、インデックス、及び該当のバンドを表したサブ・バンド・ビットマップのうち何れか一つである。ここで、前記インデックスは、物理搬送波インデックスまたは論理搬送波インデックスである。また、前記基地局が、ダウンリンク・データの発生推移を分析することによって、前記中止されたサブ・バンドに対するオフ期間が予想できる場合、前記基地局は前記オフ期間を示す情報を前記サブ・バンドのオフ要請メッセージに含ませる。
【０１２７】
次いで、前記基地局はステップ１０１１に進み、前記移動局からサブ・バンドのオフ応答メッセージが受信されるかを確認する。すなわち、前記基地局は、前記移動局が前記サブ・バンドの使用中止指示を受信したかを確認する。
【０１２８】
前記サブ・バンドのオフ応答メッセージが受信されれば、前記基地局はステップ１０１３に進み、前記基本バンドを含む少なくとも一つのバンドを通じて通信を行う。言い換えれば、前記基地局は、前記中止されたサブ・バンドを除いた残りの少なくとも一つのバンドを通じて通信を行う。
【０１２９】
その後、前記基地局はステップ１０１５に進み、前記中止されたサブ・バンドの使用再開が決定されるかを確認する。すなわち、前記基地局は、前記中止されたサブ・バンドの使用再開が必要であり、前記使用再開が可能であると判断されるかを確認する。このとき、前記サブ・バンドの使用再開の可否は、前述のサブ・バンドの使用中止と類似する基準によって判断される。すなわち、前記サブ・バンドの使用再開の可否は、前記移動局から報告されるそれぞれのサブ・バンドに対する信号強度測定値、それぞれのサブ・バンドに対する負荷量などに基づいて判断される。例えば、該当のサブ・バンドに対する信号強度測定値がデータの送受信のために要求される閾値より大きいか、または該当のサブ・バンドでの負荷量が少ないため、追加的なトラフィックが収容できる場合、前記基地局は、前記中止されたサブ・バンドの使用再開が可能であると判断する。
【０１３０】
前記中止されたサブ・バンドの使用再開が決定されれば、前記基地局はステップ１０１７に進み、前記使用再開されるサブ・バンドの指示情報を含むサブ・バンドのオン要請メッセージを送信する。例えば、前記指示情報は、該当のバンドの周波数情報、インデックス、及び該当のバンドを表したサブ・バンド・ビットマップのうち何れか一つである。ここで、前記インデックスは、物理搬送波インデックスまたは論理搬送波インデックスである。
【０１３１】
その後、前記基地局はステップ１０１９に進み、前記移動局からサブ・バンドのオン応答メッセージ及びサブ・バンド準備指示子が順次に受信されるかを確認する。ここで、前記サブ・バンドのオン応答メッセージは、前記サブ・バンドのオン要請を受信したことを知らせるメッセージであり、前記サブ・バンド準備指示子は、前記サブ・バンドの使用再開のための準備が完了したことを知らせるメッセージである。したがって、前記基地局は、前記サブ・バンドのオン応答メッセージを通じて前記移動局が前記サブ・バンドのオン要請を受信することを確認し、前記サブ・バンド準備指示子を通じて前記サブ・バンドの使用再開のための準備が完了することを確認した後、前記ステップ１００１に戻る。
【０１３２】
本発明の第６実施形態による基地局の動作手続きのうち、図１０に示す本発明の第５実施形態と相異なるステップのみを説明すれば次の通りである。
【０１３３】
前記ステップ１００１で、前記基本バンド及び前記少なくとも一つのサブ・バンドを通じた通信中に、移動局からスリップ要請メッセージが受信されれば、前記基地局は、前記移動局のスリップ・モードへの進入の許否を判断する。また、前記ステップ１００３で、前記基地局は、前記少なくとも一つのサブ・バンドの使用を中止する必要があるかを判断する。それにより、前記少なくとも一つのサブ・バンドの使用を中止することが決定されれば、前記ステップ１００７またはステップ１００９で前記スリップ・モードへの進入の許否を知らせるスリップ応答メッセージを送信するが、前記スリップ応答メッセージに前記サブ・バンドのオフ要請を含ませる。前記サブ・バンドのオフ要請は、中止されたサブ・バンド及び許可されたバンドのうち少なくとも一つの指示情報を含む。例えば、前記指示情報は、該当のバンドの周波数情報、インデックス、及び該当のバンドを表したサブ・バンド・ビットマップのうち何れか一つである。ここで、前記インデックスは、物理搬送波インデックスまたは論理搬送波インデックスである。また、前記基地局がダウンリンク・データの発生推移を分析することによって、前記中止されたサブ・バンドに対するオフ期間が予想できる場合、前記基地局は、前記オフ期間を示す情報を前記サブ・バンドのオフ要請に含ませる。その後、前記基地局は前記ステップ１０１１に進む。
【０１３４】
図１０に示す動作手続きにおいて、前記基地局は、前記ステップ１０１９で前記移動局から前記Ｓ−ＦＡオン応答メッセージ及び前記Ｓ−ＦＡ準備指示子を受信した後、前記ステップ１００１に戻る。しかし、本発明の他の実施形態によって、前記Ｓ−ＦＡ準備指示子を考慮しないことも可能である。この場合、前記ステップ１０１９で、前記基地局は、前記移動局から前記Ｓ−ＦＡオン応答メッセージを受信した後、前記ステップ１００１に戻る。すなわち、この場合、前記Ｓ−ＦＡオン応答メッセージは、前記Ｓ−ＦＡオン要請メッセージに対する応答であると同時に、前記中止されたサブ・バンドの使用再開が開始できることを知らせるために使用される。
【０１３５】
図１１は、本発明の第５実施形態による広帯域無線通信システムにおける移動局の動作手続きを示すフローチャートである。
【０１３６】
図１１に示すように、前記移動局は、ステップ１１０１で基本バンド及び少なくとも一つのサブ・バンドを通じて基地局と通信を行う。すなわち、前記移動局は、複数のバンドを全て使用して前記基地局とデータを送受信する。
【０１３７】
その後、前記移動局はステップ１１０３に進み、前記基地局からサブ・バンドのオフ要請メッセージが受信されるかを確認する。前記サブ・バンドのオフ要請メッセージは、前記少なくとも一つのサブ・バンドの全部または一部の使用中止を指示するメッセージであって、中止されたサブ・バンド及び新たに許可されたバンドのうち少なくとも一つの指示情報を含む。例えば、前記指示情報は、該当のバンドの周波数情報、インデックス、及び該当のバンドを表したサブ・バンド・ビットマップのうち何れか一つである。ここで、前記インデックスは、物理搬送波インデックスまたは論理搬送波インデックスである。さらに、前記サブ・バンドのオフ要請メッセージは、中止されたサブ・バンドのオフ期間を示す情報を含むことができる。
【０１３８】
前記サブ・バンドのオフ要請メッセージが受信されれば、前記移動局はステップ１１０５に進み、前記サブ・バンドのオフ要請メッセージによって指示されたサブ・バンドの使用を中止する。すなわち、前記移動局は、前記中止されたサブ・バンドに対する同期維持及び前記中止されたサブ・バンドを通じた制御メッセージの受信のための動作などを行わない。
【０１３９】
次いで、前記移動局はステップ１１０７に進み、前記サブ・バンドのオフ要請メッセージに他のバンドの使用指示が含まれているかを確認する。言い換えれば、前記移動局は、前記サブ・バンドのオフ要請メッセージに新たに許可されたバンドの指示情報が含まれているかを確認する。もし、前記他のバンドの使用指示が含まれていなければ、前記移動局はステップ１１１１に進む。
【０１４０】
一方、前記他のバンドの使用指示が含まれていれば、前記移動局はステップ１１０９に進み、前記他のバンドをサブ・バンドとして設定する。すなわち、前記移動局は、前記基地局の指示によって前記他のバンドをサブ・バンドとして使用することを決定する。このとき、前記他のバンドをサブ・バンドとして設定するために、前記移動局は前記他のバンドに対するレンジングを行うことができる。
【０１４１】
次いで、前記移動局はステップ１１１１に進み、前記基地局にサブ・バンドのオフ応答メッセージを送信する。それにより、前記基地局は、前記移動局が前記サブ・バンドのオフ要請を受信したことを確認する。
【０１４２】
その後、前記移動局はステップ１１１３に進み、前記基本バンドを含む少なくとも一つのバンドを通じて通信を行う。言い換えれば、前記移動局は、前記中止されたサブ・バンドを除いた残りの少なくとも一つのバンドを通じて通信を行う。
【０１４３】
その後、前記移動局はステップ１１１５に進み、前記基地局からサブ・バンドのオン要請メッセージが受信されるかを確認する。前記サブ・バンドのオン要請メッセージは、前記中止されたサブ・バンドの使用再開を要請するメッセージであって、前記中止されたサブ・バンドの指示情報を含む。例えば、前記指示情報は、該当のバンドの周波数情報、インデックス、及び該当のバンドを表したサブ・バンド・ビットマップのうち何れか一つである。ここで、前記インデックスは、物理搬送波インデックスまたは論理搬送波インデックスである。
【０１４４】
前記サブ・バンドのオン要請メッセージが受信されれば、前記移動局はステップ１１１７に進み、前記基地局にサブ・バンドのオン応答メッセージを送信する。それにより、前記基地局は、前記移動局が前記サブ・バンドのオン要請を受信したことを確認する。
【０１４５】
一方、前記サブ・バンドのオン要請メッセージが受信されなければ、前記移動局はステップ１１１３に戻る。
【０１４６】
次いで、前記移動局はステップ１１１９に進み、前記中止されたサブ・バンドの使用再開のための準備手続きを行う。例えば、前記使用再開のための準備は、レンジングなどの同期化手続き、ハードウェアの状態切替などを含む。
【０１４７】
前記使用再開のための準備を完了した後、前記移動局はステップ１１２１に進み、前記サブ・バンド準備指示子を送信する。ここで、前記サブ・バンド準備指示子は、前記中止されたサブ・バンドの使用再開が開始できることを知らせるメッセージである。前記サブ・バンド準備指示子を送信した後、前記移動局は前記ステップ１１０１に戻る。
【０１４８】
本発明の第６実施形態による移動局の動作手続きのうち、図１１に示す本発明の第５実施形態と相異なるステップのみを説明すれば次の通りである。
【０１４９】
前記ステップ１１０１で、前記基本バンド及び前記少なくとも一つのサブ・バンドを通じた通信中に、移動局はスリップ・モードに進入することを決定し、基地局にスリップ要請メッセージを送信する。その後、前記基地局からスリップ応答メッセージが受信されれば、前記移動局はスリップ・モードへの進入の許否を確認する。また、前記ステップ１１０３で、前記移動局は前記スリップ応答メッセージにサブ・バンドのオフ要請が含まれているかを確認する。前記サブ・バンドのオフ要請は、前記少なくとも一つのサブ・バンドの全部または一部の使用中止を指示するメッセージであって、中止されたサブ・バンド及び新たに許可されたバンドのうち少なくとも一つの指示情報を含む。例えば、前記指示情報は、該当のバンドの周波数情報、インデックス、及び該当のバンドを表したサブ・バンド・ビットマップのうち何れか一つである。ここで、前記インデックスは、物理搬送波インデックスまたは論理搬送波インデックスである。さらに、前記サブ・バンドのオフ要請は、中止されたサブ・バンドのオフ期間を示す情報を含むことができる。
【０１５０】
図１１に示す手続きにおいて、前記移動局は、前記ステップ１１１７で前記Ｓ−ＦＡオン応答メッセージを送信し、前記ステップ１１１９で中止されたサブ・バンドに対する使用再開のための準備を完了した後、前記Ｓ−ＦＡ準備指示子を送信する。しかし、本発明の他の実施形態によって、前記移動局が前記Ｓ−ＦＡ準備指示子を送信する前記ステップ１１２１は省略され、前記中止されたサブ・バンドの使用再開のための準備を行うステップ１１１９以後に、前記移動局が前記Ｓ−ＦＡオン応答メッセージを送信する前記ステップ１１１７が行うことができる。すなわち、この場合、前記Ｓ−ＦＡオン応答メッセージは、前記Ｓ−ＦＡオン要請メッセージに対する応答であると同時に、前記中止されたサブ・バンドの使用再開が開始できることを知らせるために使用される。
【０１５１】
図１１に示す手続きにおいて、前記移動局は、前記ステップ１１１１でサブ・バンドの使用を中止するか、または他のバンドをサブ・バンドとして設定した後、前記Ｓ−ＦＡオフ応答メッセージを送信する。しかし、本発明の他の実施形態によって、前記Ｓ−ＦＡオフ応答メッセージを送信する前記ステップ１１１１は、前記サブ・バンドの使用を中止する前記ステップ１１０５に先立って行うことができる。すなわち、この場合、前記Ｓ−ＦＡオフ要請メッセージを受信することによって、前記端末は、前記サブ・バンドの使用中止に先立って前記Ｓ−ＦＡオフ応答メッセージを送信する。
【０１５２】
図１２は、本発明の実施形態による広帯域無線通信システムにおける移動局の構成を示すブロック図である。
【０１５３】
図１２に示すように、前記移動局は、複数の符号化器１２０２−１ないし１２０２−Ｎ、複数のシンボル変調器１２０４−１ないし１２０４−Ｎ、副搬送波マッピング器１２０６、ＯＦＤＭ変調器１２０８、ＲＦ（Ｒａｄｉｏ  Ｆｒｅｑｕｅｎｃｙ）送信器１２１０、ＲＦ受信器１２１２、ＯＦＤＭ復調器１２１４、副搬送波デマッピング器１２１６、複数のシンボル復調器１２１８−１ないし１２１８−Ｎ、複数の復号化器１２２０−１及び１２２０−Ｎ、データ・バッファー１２２２、メッセージ生成器１２２４、メッセージ解釈器１２２６、消費電力調節器１２２８、及び通信制御器１２３０を備えて構成される。
【０１５４】
前記複数の符号化器１２０２−１ないし１２０２−Ｎのそれぞれは、担当するバンドを通じて送信されるデータ・ビット列を符号化する。前記複数のシンボル変調器１２０４−１ないし１２０４−Ｎのそれぞれは、担当するバンドを通じて送信される符号化されたビット列を変調することによって複素シンボルに変換する。前記副搬送波マッピング器１２０６は、前記複数のシンボル変調器１２０４−１ないし１２０４−Ｎから提供される複素シンボルを周波数領域にマッピングする。但し、前記シンボル変調器１２０４−１ないし１２０４−Ｎのそれぞれは、それぞれのバンドに対応するため、前記副搬送波マッピング器１２０６は、前記複数のシンボル変調器１２０４−１ないし１２０４−Ｎのそれぞれから提供される複素シンボルを複数のバンドの周波数領域にマッピングする。前記ＯＦＤＭ変調器１２０８は、ＩＦＦＴ（Ｉｎｖｅｒｓｅ  Ｆａｓｔ  Ｆｏｕｒｉｅｒ  Ｔｒａｎｓｆｏｒｍ）演算を通じて前記周波数領域にマッピングされた複素シンボルを時間領域信号に変換し、ＣＰ（Ｃｙｃｌｉｃ  Ｐｒｅｆｉｘ）を挿入することによってＯＦＤＭシンボルを構成する。前記ＲＦ送信器１２１０は、前記ＯＦＤＭシンボルをＲＦ帯域信号にアップ変換した後、アンテナを介して送信する。
【０１５５】
前記ＲＦ受信器１２１２は、アンテナを介して受信されるＲＦ帯域信号を基底帯域信号にダウン変換する。前記ＯＦＤＭ復調器１２１４は、前記ＲＦ受信器１２１２から提供される基底帯域信号をＯＦＤＭシンボル単位で区分し、ＣＰを除去した後、ＦＦＴ（Ｆａｓｔ  Ｆｏｕｒｉｅｒ  Ｔｒａｎｓｆｏｒｍ）演算を通じて周波数領域の複素シンボルを復元する。前記副搬送波デマッピング器１２１６は、前記周波数領域の複素シンボルのうち、割り当てられた資源にマッピングされた複素シンボルを抽出する。このとき、前記副搬送波デマッピング器１２１６は、前記複素シンボルをバンド別に区分し、前記複数のシンボル復調器１２１８−１ないし１２１８−Ｎに前記複素シンボルを分配する。前記複数のシンボル復調器１２１８−１ないし１２１８−Ｎのそれぞれは、前記複素シンボルを復調することによって符号化されたビット列に変換する。前記複数の復号化器１２２０−１ないし１２２０−Ｎのそれぞれは前記符号化されたビット列を復号化する。前記データ・バッファー１２２２は、基地局と交換されるデータを臨時保存し、前記通信制御器１２３０の制御によって保存されたデータを出力する。
【０１５６】
前記メッセージ生成器１２２４は、基地局に送信される制御メッセージを生成する。例えば、前記メッセージ生成器１２２４は、サブ・バンドの使用中止を要請するためのサブ・バンドのオフ要請メッセージ、サブ・バンドのオフ要請を含むスリップ要請メッセージ、中止されたサブ・バンドの使用を要請するためのサブ・バンド準備指示子、中止されたサブ・バンドの使用を要請するためのサブ・バンドのオン要請メッセージ、中止されたサブ・バンドの使用再開が開始できることを知らせるためのサブ・バンド準備指示子、サブ・バンドのオフ要請の受信を知らせるサブ・バンドのオフ応答メッセージ及びサブ・バンドのオン要請の受信を知らせるサブ・バンドのオン応答メッセージのうち少なくとも一つを生成する。ここで、前記サブ・バンドのオフ要請メッセージ、サブ・バンドのオフ要請を含むスリップ要請メッセージ及び前記サブ・バンドのオン要請メッセージのうち何れか一つを生成する場合、前記メッセージ生成器１２２４は、中止されたサブ・バンドに対する指示情報及びオフ期間情報を含ませることができる。例えば、前記指示情報は、該当のバンドの周波数情報、インデックス、及び該当のバンドを表したサブ・バンド・ビットマップのうち何れか一つである。ここで、前記インデックスは、物理搬送波インデックスまたは論理搬送波インデックスである。
【０１５７】
前記メッセージ解釈器１２２６は、基地局から受信される制御メッセージを解釈し、前記制御メッセージを通じて確認された情報を前記通信制御器１２３０に提供する。例えば、前記メッセージ解釈器１２２６は、サブ・バンドのオフ応答メッセージ、サブ・バンドのオフ応答を含むスリップ応答メッセージ、サブ・バンド準備指示子の確認、サブ・バンドのオン応答メッセージ、サブ・バンドのオフ要請メッセージ、サブ・バンドのオン要請メッセージ及びサブ・バンドのオフ要請を含むスリップ応答メッセージのうち少なくとも一つを解釈する。特に、前記サブ・バンド準備指示子の確認及び前記サブ・バンドのオン応答メッセージのうち何れか一つを解釈する場合、前記メッセージ解釈器１２２６は、中止されたサブ・バンドの使用再開の許可、中止されたサブ・バンドの使用再開の不許可及び新しいバンドの使用許可のうち少なくとも一つを含む基地局の判断結果を確認する。また、前記サブ・バンドのオフ要請メッセージ及び前記サブ・バンドのオフ要請を含むスリップ応答メッセージのうち何れか一つを解釈する場合、前記メッセージ解釈器１２２６は、サブ・バンドの使用中止要請及び他のバンドの使用許可のうち少なくとも一つを確認する。
【０１５８】
前記消費電力調節器１２２８は、前記移動局のバッテリーの状態を監視する。そして、前記消費電力調節器１２２８は、バッテリーの状態によって電力消耗減少の要否を判断する。例えば、バッテリーの残量が閾値以下であれば、前記消費電力調節器１２２８は電力消耗の減少が必要であると判断する。それにより、前記消費電力調節器１２２８は、サブ・バンドの使用を中止することを判断するか、または他の方法で消耗電力を減少させることを判断する。また、前記消費電力調節器１２２８は、バッテリーの状態によって中止されたサブ・バンドの使用再開如何を判断する。前記サブ・バンドオフを通じた電力消耗の減少が必要であると判断されるか、または、中止されたサブ・バンドの使用が再開できると判断される場合、前記消費電力調節器１２２８はその旨を前記通信制御器１２３０に知らせる。
【０１５９】
前記通信制御器１２３０は、前記移動局の通信実行のための全般的な機能を制御する。特に、前記通信制御器１２３０は、サブ・バンドの使用中止及び使用再開のための動作及びシグナリングを制御する。本発明の実施形態による前記通信制御器１２３０の詳細な動作は次の通りである。
【０１６０】
本発明の第１実施形態による場合、前記消費電力調節器１２２８からサブ・バンドの使用中止を通じた電力消耗の減少が必要であることが通知されれば、前記通信制御器１２３０は、前記サブ・バンドのオフ要請メッセージを生成するように前記メッセージ生成器１２２４を制御する。これと異なり、該当のサブ・バンドに対する信号強度測定値がデータの送受信のために要求される閾値より小さい場合、前記通信制御器１２３０は自ら前記サブ・バンドの使用中止が必要であることを判断し、前記サブ・バンドのオフ要請メッセージを生成するように前記メッセージ生成器１２２４を制御する。それにより、前記サブ・バンドのオフ要請メッセージは、前記複数の符号化器１２０２−１ないし１２０２−Ｎ、前記複数のシンボル変調器１２０４−１ないし１２０４−Ｎ、前記副搬送波マッピング器１２０６、前記ＯＦＤＭ変調器１２０８及び前記ＲＦ送信器１２１０を通じて前記基地局に送信される。その後、前記メッセージ解釈器１２２６によって前記サブ・バンドのオフ応答メッセージが確認されれば、前記通信制御器１２３０は、中止されたサブ・バンドを除いた残りの少なくとも一つのバンドを通じて通信を行うように制御する。その後、前記中止されたサブ・バンドの使用が再開できることが判断されれば、前記通信制御器１２３０は、前記サブ・バンド準備指示子を生成するように前記メッセージ生成器１２２４を制御する。ここで、前記中止されたサブ・バンドの使用再開は、前記消費電力調節器１２２８から通知されるバッテリーの状態または信号強度測定値によって判断される。このとき、前記サブ・バンド準備指示子の生成制御に先立って、前記通信制御器１２３０は、前記中止されたサブ・バンドに対するレンジング手続きを行うことができる。その後、前記メッセージ解釈器１２２６によって前記サブ・バンド準備指示子の確認受信及び前記基地局の判断結果が確認されれば、前記通信制御器１２３０は、前記判断結果によって動作するように前記移動局の機能を制御する。
【０１６１】
本発明の第２実施形態による場合、全般的な動作は前述の本発明の第１実施形態による動作と類似している。但し、スリップ・モードへの進入が必要であることや、前記サブ・バンドの使用中止が必要であることが判断される場合、前記通信制御器１２３０は、サブ・バンドのオフ要請を含むスリップ要請メッセージを生成するように前記メッセージ生成器１２２４を制御する。そして、前記メッセージ解釈器１２２６によってサブ・バンドのオフ応答を含むスリップ応答メッセージが確認されれば、前記通信制御器１２３０は、中止されたサブ・バンドを除いた残りの少なくとも一つのサブ・バンド及び前記基本バンドを通じて通信を行うように制御する。
【０１６２】
本発明の第３実施形態による場合、全般的な動作は前述の本発明の第１実施形態による動作と類似している。但し、中止されたサブ・バンドの使用が再開できることが判断されれば、前記通信制御器１２３０は、前記サブ・バンドのオン要請メッセージを生成するように前記メッセージ生成器１２２４を制御する。その後、前記メッセージ解釈器１２２６によって前記サブ・バンドのオン応答メッセージの受信及び前記基地局の判断結果が確認されれば、前記通信制御器１２３０は、前記判断結果によって動作するように前記移動局の機能を制御する。このとき、前記中止されたサブ・バンドの使用再開が許可された場合、前記通信制御器１２３０は、前記中止されたサブ・バンドの使用再開のための準備を完了した後、サブ・バンド準備指示子を生成するように前記メッセージ生成器１２２４を制御する。例えば、前記使用再開のための準備は、レンジングなどの同期化手続き、ハードウェアの状態切替などを含む。
【０１６３】
本発明の第４実施形態による場合、全般的な動作は前述の本発明の第１実施形態による動作と類似している。但し、スリップ・モードへの進入が必要であることや、前記サブ・バンドの使用中止が必要であることが判断される場合、前記通信制御器１２３０は、サブ・バンドのオフ要請を含むスリップ要請メッセージを生成するように前記メッセージ生成器１２２４を制御する。そして、前記メッセージ解釈器１２２６によってサブ・バンドのオフ応答を含むスリップ応答メッセージが確認されれば、前記通信制御器１２３０は、中止されたサブ・バンドを除いた残りの少なくとも一つのサブ・バンド及び前記基本バンドを通じて通信を行うように制御する。また、中止されたサブ・バンドの使用が再開できることが判断されれば、前記通信制御器１２３０は、前記サブ・バンドのオン要請メッセージを生成するように前記メッセージ生成器１２２４を制御する。その後、前記メッセージ解釈器１２２６によって前記サブ・バンドのオン応答メッセージの受信及び前記基地局の判断結果が確認されれば、前記通信制御器１２３０は、前記判断結果によって動作するように前記移動局の機能を制御する。このとき、前記中止されたサブ・バンドの使用再開が許可された場合、前記通信制御器１２３０は、前記中止されたサブ・バンドの使用再開のための準備を完了した後、サブ・バンド準備指示子を生成するように前記メッセージ生成器１２２４を制御する。例えば、前記使用再開のための準備は、レンジングなどの同期化手続き、ハードウェアの状態切替などを含む。
【０１６４】
本発明の第５実施形態による場合、前記メッセージ解釈器１２２６によって前記基地局からサブ・バンドのオフ要請メッセージが確認されれば、前記通信制御器１２３０は、前記サブ・バンドのオフ要請メッセージによって指示されたサブ・バンドの使用を中止する。このとき、前記サブ・バンドのオフ要請メッセージに他のバンドの使用指示が含まれていれば、前記通信制御器１２３０は、前記他のバンドをサブ・バンドとして設定する。このとき、前記他のバンドをサブ・バンドとして設定するために、前記通信制御器１２３０は、前記他のバンドに対するレンジングを行うことができる。その後、前記通信制御器１２３０は、前記サブ・バンドのオフ応答メッセージを生成するように前記メッセージ生成器１２２４を制御する。それにより、前記サブ・バンドのオフ応答メッセージは、前記複数の符号化器１２０２−１ないし１２０２−Ｎ、前記複数のシンボル変調器１２０４−１ないし１２０４−Ｎ、前記副搬送波マッピング器１２０６、前記ＯＦＤＭ変調器１２０８及び前記ＲＦ送信器１２１０を通じて前記基地局に送信される。その後、前記通信制御器１２３０は、中止されたサブ・バンドを除いた残りの少なくとも一つのバンドを通じて通信を行うように制御する。そして、前記メッセージ解釈器１２２６によって前記基地局からサブ・バンドのオン要請メッセージが確認されれば、前記通信制御器１２３０は、前記サブ・バンドのオン応答メッセージを生成するように前記メッセージ生成器１２２４を制御し、前記中止されたサブ・バンドの使用再開のための準備手続きを行う。例えば、前記使用再開のための準備は、レンジングなどの同期化手続き、ハードウェアの状態切替などを含む。前記使用再開のための準備を完了した後、前記通信制御器１２３０は、前記サブ・バンド準備指示子を生成するように前記メッセージ生成器１２２４を制御する。ここで、前記サブ・バンド準備指示子は、前記中止されたサブ・バンドの使用再開が開始できることを知らせるメッセージである。
【０１６５】
本発明の第６実施形態による場合、全般的な動作は前述の本発明の第５実施形態による動作と類似している。但し、スリップ・モードに進入することが決定される場合、前記通信制御器１２３０は、スリップ要請メッセージを生成するように前記メッセージ生成器１２２４を制御する。その後、前記メッセージ解釈器１２２６によってスリップ応答メッセージが確認されれば、前記通信制御器１２３０はスリップ・モードへの進入の許否を確認し、また、前記スリップ応答メッセージにサブ・バンドのオフ要請が含まれているかを確認する。前記サブ・バンドのオフ要請が含まれている場合、前記通信制御器１２３０は、前記第５実施形態でサブ・バンドのオフ要請メッセージが受信された場合と同様の動作を行う。
【０１６６】
図１３は、本発明の実施形態による広帯域無線通信システムにおける基地局の構成を示すブロック図である。
【０１６７】
図１３に示すように、前記基地局は、ＲＦ受信器１３０２、ＯＦＤＭ復調器１３０４、副搬送波デマッピング器１３０６、複数のシンボル復調器１３０８−１ないし１３０８−Ｎ、複数の復号化器１３１０−１ないし１３１０−Ｎ、複数の符号化器１３１２−１ないし１３１２−Ｎ、複数のシンボル変調器１３１４−１ないし１３１４−Ｎ、副搬送波マッピング器１３１６、ＯＦＤＭ変調器１３１８、ＲＦ送信器１３２０、データ・バッファー１３２２、メッセージ解釈器１３２４、メッセージ生成器１３２６、資源割当器１３２８、ＦＡ管理器１３３０、及び通信制御器１３３２を備えて構成される。
【０１６８】
前記ＲＦ受信器１３０２は、アンテナを介して受信されるＲＦ帯域信号を基底帯域信号にダウン変換する。前記ＯＦＤＭ復調器１３０４は、前記ＲＦ受信器１３０２から提供される基底帯域信号をＯＦＤＭシンボル単位で区分し、ＣＰを除去した後、ＦＦＴ演算を通じて周波数領域の複素シンボルを復元する。前記副搬送波デマッピング器１３０６は、前記周波数領域の複素シンボルを処理単位で区分する。また、前記副搬送波デマッピング器１３０６は、前記複素シンボルをバンド別に区分し、前記複数のシンボル復調器１３０８−１ないし１３０８−Ｎに前記複素シンボルを分配する。前記複数のシンボル復調器１３０８−１ないし１３０８−Ｎのそれぞれは、前記複素シンボルを復調することによって符号化されたビット列に変換する。前記複数の復号化器１３１０−１ないし１３１０−Ｎのそれぞれは前記符号化されたビット列を復号化する。
【０１６９】
前記複数の符号化器１３１２−１ないし１３１２−Ｎのそれぞれは、担当するバンドを通じて送信されるデータ・ビット列を符号化する。前記複数のシンボル変調器１３１４−１ないし１３１４−Ｎのそれぞれは、担当するバンドを通じて送信される符号化されたビット列を変調することによって複素シンボルに変換する。前記副搬送波マッピング器１３１６は、前記複数のシンボル変調器１３１４−１ないし１３１４−Ｎから提供される複素シンボルを周波数領域にマッピングする。但し、前記シンボル変調器１３１４−１ないし１３１４−Ｎのそれぞれはそれぞれのバンドに対応するため、前記副搬送波マッピング器１３１６は、前記シンボル変調器１３１４−１ないし１３１４−Ｎのそれぞれから提供される複素シンボルを相異なるバンドにマッピングする。前記ＯＦＤＭ変調器１３１８は、ＩＦＦＴ演算を通じて前記周波数領域にマッピングされた複素シンボルを時間領域信号に変換し、ＣＰを挿入することによってＯＦＤＭシンボルを構成する。前記ＲＦ送信器１３２０は、前記ＯＦＤＭシンボルをＲＦ帯域信号にアップ変換した後、アンテナを介して送信する。前記データ・バッファー１３２２は、移動局と交換されるデータを臨時保存し、前記通信制御器１３３２の制御によって保存されたデータを出力する。
【０１７０】
前記メッセージ解釈器１３２４は、移動局から受信される制御メッセージを解釈し、前記制御メッセージを通じて確認された情報を前記通信制御器１３３２に提供する。例えば、前記メッセージ解釈器１３２４は、サブ・バンドの使用中止を要請するサブ・バンドのオフ要請メッセージ、サブ・バンドのオフ要請を含むスリップ要請メッセージ、中止されたサブ・バンドの使用再開を要請するサブ・バンド準備指示子、中止されたサブ・バンドの使用再開を要請するサブ・バンドのオン要請メッセージ、中止されたサブ・バンドの使用再開が開始できることを知らせるサブ・バンド準備指示子、スリップ・モードへの進入を要請するスリップ要請メッセージ、サブ・バンドのオフ要請を受信することを知らせるサブ・バンドのオフ応答メッセージ、及びサブ・バンドのオン要請を受信することを知らせるサブ・バンドのオン応答メッセージのうち少なくとも一つを解釈する。
【０１７１】
前記メッセージ生成器１３２６は、移動局に送信される制御メッセージを生成する。例えば、前記メッセージ生成器１３２６は、移動局のサブ・バンドの使用中止要請を受信することを知らせるサブ・バンドのオフ応答メッセージ、サブ・バンドのオフ応答を含むスリップ応答メッセージ、サブ・バンド準備指示子を受信することを知らせるサブ・バンド準備指示子の確認、サブ・バンドのオン要請に対する判断結果を知らせるサブ・バンドのオン応答メッセージ、サブ・バンドの使用中止を要請するサブ・バンドのオフ要請メッセージ、サブ・バンドの使用再開を要請するサブ・バンドのオン要請メッセージ、及びサブ・バンドのオフ要請を含むスリップ応答メッセージのうち少なくとも一つを生成する。特に、前記サブ・バンド準備指示子の確認及び前記サブ・バンドのオン応答メッセージのうち何れか一つを生成する場合、前記メッセージ生成器１３２６は、中止されたサブ・バンドの使用再開の許可、中止されたサブ・バンドの使用再開の不許可及び新しいバンドの使用許可のうち少なくとも一つを含む基地局の判断結果を含ませる。また、前記サブ・バンドのオフ要請メッセージ及び前記サブ・バンドのオフ要請を含むスリップ応答メッセージのうち何れか一つを生成する場合、前記メッセージ解釈器１３２６は、サブ・バンドの使用中止要請及び他のバンドの使用許可のうち少なくとも一つを含ませる。
【０１７２】
前記資源割当器１３２８は移動局に無線資源を割り当てる。資源の割当時に、前記資源割当器１３２８は、前記ＦＡ管理器１３３０から提供される移動局の使用バンドリストを参考して資源を割り当てる。すなわち、前記資源割当器１３２８は、移動局への資源の割当時に、前記移動局の使用バンドリストに含まれたバンド内の資源を割り当てる。前記ＦＡ管理器１３３０は、接続中の移動局の使用バンドリストを管理し、前記資源割当器１３２８に移動局の使用バンドリストを提供する。すなわち、前記ＦＡ管理器１３３０は、前記通信制御器１３３２の制御によって移動局の使用バンドリストを更新する。
【０１７３】
前記通信制御器１３３２は、前記基地局の通信実行のための全般的な機能を制御する。特に、前記通信制御器１３３２は、サブ・バンドの使用中止及び再開のための動作及びシグナリングを制御する。本発明の実施形態による前記通信制御器１３３２の詳細な動作は次の通りである。
【０１７４】
本発明の第１実施形態による場合、前記メッセージ解釈器１３２４によって前記サブ・バンドのオフ要請メッセージが確認されれば、前記通信制御器１３３２は、前記移動局の使用バンドリストから前記サブ・バンドを除くように前記ＦＡ管理器１３３０を制御する。そして、前記通信制御器１３３２は、前記サブ・バンドのオフ応答メッセージを生成するように前記メッセージ生成器１３２６を制御する。それにより、前記サブ・バンドのオフ応答メッセージは、前記複数の符号化器１３１２−１ないし１３１２−Ｎ、前記複数のシンボル変調器１３１４−１ないし１３１４−Ｎ、前記副搬送波マッピング器１３１６、前記ＯＦＤＭ変調器１３１８及び前記ＲＦ送信器１３２０を通じて前記基地局に送信される。そして、前記通信制御器１３３２は、前記移動局のバンド使用リストに前記中止されたサブ・バンドを追加するように前記ＦＡ管理器１３３０を制御する。その後、前記メッセージ解釈器１３２４によって前記サブ・バンド準備指示子が確認されれば、前記通信制御器１３３２は、前記中止されたサブ・バンドの使用要請の許否を判断する。もし、前記中止されたサブ・バンドの使用要請が許可できない場合、前記通信制御器１３３２は、他のバンドの使用が許可できるかを判断する。そして、前記通信制御器１３３２は、判断結果を知らせるサブ・バンド準備指示子の確認を生成するように前記メッセージ生成器１３２６を制御する。
【０１７５】
本発明の第２実施形態による場合、全般的な動作は前述の本発明の第１実施形態による動作と類似している。但し、前記メッセージ解釈器１３２４によって前記スリップ要請メッセージが確認されれば、前記通信制御器１３３２は、前記スリップ要請メッセージにサブ・バンドのオフ要請が含まれているかを確認する。もし、前記スリップ要請メッセージに前記サブ・バンドのオフ要請が含まれていれば、前記通信制御器１３３２は、前記サブ・バンドのオフ応答メッセージを含むスリップ応答メッセージを生成するように前記メッセージ生成器１３２６を制御する。
【０１７６】
本発明の第３実施形態による場合、全般的な動作は前述の本発明の第１実施形態による動作と類似している。但し、前記メッセージ解釈器１３２４によって前記サブ・バンドのオン要請メッセージが確認されれば、前記通信制御器１３３２は前記中止されたサブ・バンドの使用要請の許否を判断する。もし、前記中止されたサブ・バンドの使用要請が許可できない場合、前記通信制御器１３３２は、他のバンドの使用が許可できるかを判断する。そして、前記通信制御器１３３２は、判断結果を知らせるサブ・バンドのオン応答メッセージを生成するように前記メッセージ生成器１３２６を制御する。その後、前記メッセージ解釈器１３２４によってサブ・バンド準備指示子が確認し、前記通信制御器１３３２は、前記移動局のバンド使用現況情報を更新するように前記ＦＡ管理器１３３０を制御する。
【０１７７】
本発明の第４実施形態による場合、全般的な動作は前述の本発明の第１実施形態による動作と類似している。但し、前記メッセージ解釈器１３２４によって前記スリップ要請メッセージが確認されれば、前記通信制御器１３３２は、前記スリップ要請メッセージにサブ・バンドのオフ要請が含まれているかを確認する。もし、前記スリップ要請メッセージに前記サブ・バンドのオフ要請が含まれていれば、前記通信制御器１３３２は、前記サブ・バンドのオフ応答メッセージを含むスリップ応答メッセージを生成するように前記メッセージ生成器１３２６を制御する。また、前記メッセージ解釈器１３２４によって前記サブ・バンドのオン要請メッセージが確認されれば、前記通信制御器１３３２は、前記中止されたサブ・バンドの使用要請の許否を判断する。もし、前記中止されたサブ・バンドの使用要請が許可できない場合、前記通信制御器１３３２は、他のバンドの使用が許可できるかを判断する。そして、前記通信制御器１３３２は、判断結果を知らせるサブ・バンドのオン応答メッセージを生成するように前記メッセージ生成器１３２６を制御する。その後、前記メッセージ解釈器１３２４によってサブ・バンド準備指示子が確認されれば、前記通信制御器１３３２は、前記移動局のバンド使用リストに前記中止されたサブ・バンドを追加するように前記ＦＡ管理器１３３０を制御する。
【０１７８】
本発明の第５実施形態による場合、前記通信制御器１３３２は、少なくとも一つのサブ・バンドの使用中止如何を判断する。前記少なくとも一つのサブ・バンドの使用中止は、前記移動局から報告されるそれぞれのサブ・バンドに対する信号強度測定値、それぞれのサブ・バンドに対する負荷量などに基づいて判断される。もし、前記少なくとも一つのサブ・バンドの使用を中止することが決定された場合、前記通信制御器１３３２は他のバンドの使用許否を判断する。もし、前記他のバンドの使用が許可できなければ、前記通信制御器１３３２は、中止されたサブ・バンドの指示情報を含むサブ・バンド要請メッセージを生成するように前記メッセージ生成器１３２６を制御する。一方、前記他のバンドの使用が許可できれば、前記通信制御器１３３２は、中止されたサブ・バンド及び新たに許可されたバンドの指示情報を含むサブ・バンド要請メッセージを生成するように前記メッセージ生成器１３２６を制御する。そして、前記メッセージ解釈器１３２４によってサブ・バンドのオフ応答メッセージが確認されれば、前記通信制御器１３３２は、前記移動局のバンド使用リストから前記中止されたサブ・バンドを削除するように前記ＦＡ管理器１３３０を制御する。その後、前記中止されたサブ・バンドの使用再開が決定されれば、前記通信制御器１３３２は、使用が再開されるサブ・バンドの指示情報を含むサブ・バンドのオン要請メッセージを生成するように前記メッセージ生成器１３２６を制御する。その後、前記メッセージ解釈器１３２４によってサブ・バンドのオン応答メッセージ及びサブ・バンド準備指示子が確認されれば、前記通信制御器１３３２は、前記移動局のバンド使用リストに前記中止されたサブ・バンドを追加するように前記ＦＡ管理器１３３０を制御する。
【０１７９】
本発明の第６実施形態による場合、全般的な動作は前述の本発明の第５実施形態による動作と類似している。但し、前記メッセージ解釈器１３２４によってスリップ要請メッセージが確認されれば、前記通信制御器１３３２は、前記移動局のスリップ・モードへの進入の許否を判断し、また、前記少なくとも一つのサブ・バンドの使用を中止する必要があるかを判断する。それにより、前記少なくとも一つのサブ・バンドの使用を中止することが決定されれば、前記通信制御器１３３２は、前記スリップ・モードへの進入の許否及びサブ・バンドのオフ要請を含むスリップ応答メッセージを生成するように前記メッセージ生成器１３２６を制御する。
【０１８０】
複数の周波数バンドを使用する広帯域無線通信システムにおける移動局のサブ・バンドの使用をオン−オフさせることによって、サブ・バンドの使用によって発生する移動局の電力消費量を減少させることができる。
【０１８１】
一方、本発明の詳細な説明では具体的な実施形態について説明したが、本発明の範囲から逸脱しない限り、多様な変形が可能であるということは言うまでもない。したがって、本発明の範囲は説明された実施形態に限って定められるものではなく、後述する特許請求の範囲だけでなく、この特許請求の範囲と均等なものによって定められねばならない。
【符号の説明】
【０１８２】
２００  移動局
２０１  基本バンド
２０３  サブ・バンド
２５０  基地局
２１１  移動局が、基本バンド及びサブ・バンドをそれぞれ通じて基地局とデータを送受信するステップ
２１３  移動局が、基地局にサブ・バンドの使用中止を要請するために、Ｓ−ＦＡオフ要請メッセージを送信するステップ
２１５  基地局が、移動局からのＳ−ＦＡオフ要請メッセージに応答してＳ−ＦＡオフ応答メッセージを送信する
２１７  移動局及び基地局が、基本バンドのみを通じてデータを送受信するステップ
２１９  移動局が、基地局にサブ・バンドが利用可能であることを知らせるために、サブ・バンド準備指示子を基地局に送信するステップ
２２１  基地局が、中止されたサブ・バンドの使用再開の許否を判断し、サブ・バンド準備指示子の確認を移動局に送信するステップ
２２３  移動局が、基本バンド及びサブ・バンドをそれぞれ通じて基地局とデータを送受信するステップ
【図１】
0005592372.tif 000002
【図２】
0005592372.tif 000003
【図３】
0005592372.tif 000004
【図４】
0005592372.tif 000005
【図５】
0005592372.tif 000006
【図６】
0005592372.tif 000007
【図７】
0005592372.tif 000008
【図８】
0005592372.tif 000009
【図９】
0005592372.tif 000010
【図１０】
0005592372.tif 000011
【図１１】
0005592372.tif 000012
【図１２】
0005592372.tif 000013
【図１３】
0005592372.tif 000014